(57)【要約】【課題】変圧装置に接続してある蓄電装置を交換した場合に、新たに接続された蓄電装置に印加する電圧を適切な電圧に容易に変更することができる電源システムの提供。【解決手段】変圧装置１１の１つの端子には、蓄電装置１９ａを含む複数の蓄電装置中の１つが接離可能に接続され、変圧装置１１は、もう１つの端子に印加された印加電圧を目標電圧に変圧し、接続してある蓄電装置に目標電圧を印加する。複数の蓄電装置夫々の記憶部３２は、各蓄電装置に対応付けられた識別情報を記憶している。また、記憶部２２は、目標電圧を示す複数の電圧情報を複数の識別情報に対応付けて記憶している。読出部２５は記憶部３２から識別情報を読み出し、制御部２６は、読出部２５が読み出した識別情報に対応する電圧情報を読み出す。変圧装置１１は、蓄電装置に印加する目標電圧を、制御部２６が読み出した電圧情報が示す目標電圧に変更する。【選択図】図２
2015057015.tif 000002
【特許請求の範囲】
【請求項１】
複数の蓄電装置と、該複数の蓄電装置中の１つが一端に接離可能に接続され、他端に印加された印加電圧を目標電圧に変圧し、該目標電圧を、前記一端に接続してある蓄電装置に印加する変圧装置とを備える電源システムであって、
前記複数の蓄電装置夫々は、自身に対応付けられた識別情報を記憶している情報記憶手段を有し、
目標電圧を示す複数の電圧情報を、前記複数の蓄電装置に記憶してある識別情報夫々に対応付けて記憶している電圧記憶手段と、
前記一端に接続してある蓄電装置の前記情報記憶手段から識別情報を読み出す情報読出手段と、
該情報読出手段が読み出した識別情報に対応する電圧情報を前記電圧記憶手段から読み出す電圧読出手段と
を備え、
前記変圧装置は、前記印加電圧を、前記電圧読出手段が読み出した電圧情報が示す目標電圧に変圧するように構成してあること
を特徴とする電源システム。
【請求項２】
蓄電装置の種類を示す複数の種類情報を、前記複数の蓄電装置に記憶してある識別情報夫々に対応付けて記憶している種類記憶手段と、
前記情報読出手段が読み出した識別情報に対応する種類情報を前記種類記憶手段から読み出す種類読出手段と、
該種類読出手段が読み出した種類情報が示す種類に応じた方法で、前記一端に接続してある蓄電装置の蓄電率を算出する算出手段と
を備えることを特徴とする請求項１に記載の電源システム。
【請求項３】
前記複数の蓄電装置に記憶してある識別情報夫々には蓄電装置の種類を示す種類情報が含まれており、
前記情報読出手段が読み出した識別情報に含まれる種類情報が示す種類に応じた方法で、前記一端に接続してある蓄電装置の蓄電率を算出する算出手段
を備えることを特徴とする請求項１に記載の電源システム。
【請求項４】
一端に印加された印加電圧を目標電圧に変圧する変圧装置と、前記変圧装置の他端から前記目標電圧が印加される蓄電装置とを備える電源システムにおいて、
前記蓄電装置は、目標電圧を示す電圧情報を記憶している電圧記憶手段を有し、
前記電圧記憶手段から前記電圧情報を読み出す電圧読出手段を備え、
前記変圧装置は、前記印加電圧を、前記電圧読出手段が読み出した電圧情報が示す目標電圧に変圧するように構成してあること
を特徴とする電源システム。
【請求項５】
前記蓄電装置は、蓄電装置の種類を示す種類情報を記憶している種類記憶手段を有し、
前記種類記憶手段から前記種類情報を読み出す種類読出手段と、
該種類読出手段が読み出した種類情報が示す種類に応じた方法で前記蓄電装置の蓄電率を算出する算出手段と
を備えることを特徴とする請求項４に記載の電源システム。
【請求項６】
複数の蓄電装置と、該複数の蓄電装置中の１つが一端に接離可能に接続され、他端に印加された印加電圧を目標電圧に変圧し、該目標電圧を、前記一端に接続してある蓄電装置に印加する変圧装置とを備える電源システムであって、
前記複数の蓄電装置夫々には、一又は複数の凸部が設けられており、
前記凸部の数及び位置の組合せは前記複数の蓄電装置夫々について異なっており、
目標電圧を示す複数の電圧情報を、前記凸部の複数の位置パターン夫々に対応付けて記憶している電圧記憶手段と、
前記一端に接続してある蓄電装置に設けられている前記凸部の位置パターンを検出するパターン検出手段と、
前記パターン検出手段が検出した位置パターンに対応する電圧情報を前記電圧記憶手段から読み出す電圧読出手段と
を備え、
前記変圧装置は、前記印加電圧を、前記電圧読出手段が読み出した電圧情報が示す目標電圧に変圧するように構成してあること
を特徴とする電源システム。
【請求項７】
蓄電装置の種類を示す複数の種類情報を、前記凸部の複数の位置パターン夫々に対応付けて記憶している種類記憶手段と、
前記パターン検出手段が検出した位置パターンに対応する種類情報を前記種類記憶手段から読み出す種類読出手段と、
該種類読出手段が読み出した種類情報が示す種類に応じた方法で、前記一端に接続してある蓄電装置の蓄電率を算出する算出手段と
を備えることを特徴とする請求項６に記載の電源システム。
【請求項８】
前記種類記憶手段は、前記種類情報として、コンデンサ又は蓄電池を示す情報を記憶していること
を特徴とする請求項２，５，７のいずれか１つに記載の電源システム。
【請求項９】
前記算出手段が算出した蓄電率が前記所定率以上である場合に発電を停止する発電機を備え、
該発電機が発生した電圧が、前記印加電圧として前記変圧装置に印加されるように構成してあること
を特徴とする請求項２，３，５，７，８のいずれか１つに記載の電源システム。
【発明の詳細な説明】
【技術分野】
【０００１】
本発明は、印加された電圧を変圧する変圧装置と、該変圧装置が変圧した電圧が印加される蓄電装置とを備える電源システムに関する。
【背景技術】
【０００２】
現在、車両には、車両が減速する場合に車両の運動エネルギーを電力に変換して回生電力を発生する発電機と、発電機が発生した回生電力を蓄える蓄電装置とを備える電源システム（例えば特許文献１）が搭載されている。
【０００３】
特許文献１に記載の電源システムでは、発電機が発生した回生電力を蓄電装置に直接供給され、蓄電装置に回生電力が蓄えられる。蓄電装置に蓄えられた電力は、車両に搭載されている電気機器に供給される。
これにより、車両の運動エネルギーを無駄に消費することなく、効率的に利用することができる。
【先行技術文献】
【特許文献】
【０００４】
【特許文献１】特開２０１２−２４０４８７号公報
【発明の概要】
【発明が解決しようとする課題】
【０００５】
車両は山道、街道又は高速道路等の種々の場所で運転され、車両が主として走行する場所は運転者によって異なり、発電機が電力に変換することが可能な運動エネルギーの量は、車両が主として走行する場所によって異なる。例えば、山道又は街道等を主として走行する車両においては、ブレーキペダルが踏まれて車両が減速する回数が多く、発電機は多量の運動エネルギーを電力に変換することができる。
【０００６】
ところが、特許文献１に記載してあるような従来の電源システムでは、通常、蓄電装置が蓄えている蓄電量が所定量を超えた場合、蓄電装置が蓄えることが可能な蓄電容量の減少が激しくなるため、発電機は運動エネルギーを電力に変換することはない。このとき、運動エネルギーは、例えばタイヤと地面との摩擦によって発生する熱エネルギーとして無駄に消費される。
【０００７】
従って、運動エネルギーの大部分が熱エネルギーとして消費されている場合において、運動エネルギーを効率的に電力に変換して利用するためには、運転者は、蓄電装置を容量が適切な蓄電装置に交換する必要がある。
ここで、現在の蓄電装置を容量が異なる新たな蓄電装置に交換した場合、新たな蓄電装置に印加する電圧を変更する必要がある。例えば、現在の蓄電装置を容量が大きい新たな蓄電装置に交換した場合、新たな蓄電装置に印加する電圧を高くする必要がある。
【０００８】
しかしながら、特許文献１に記載してある電源システムでは、発電機が発生した電圧が蓄電装置に直接印加される。従って、新たな蓄電装置に印加する電圧を変更するためには、発電機も交換する必要があり、交換費用が嵩むという問題がある。
【０００９】
この問題を解決する電源システムとして、発電機が発生した電圧を変圧する変圧装置を備え、変圧装置が変圧した電圧を、変圧装置に接続してある蓄電装置に印加する電源システムが考えられる。この電源システムでは、変圧装置が、発電機が発生した電圧の昇圧幅又は降圧幅を変更することによって、蓄電装置に印加する電圧を変更することができる。
【００１０】
しかし、以上のように変圧装置を備える電源システムにおいては、変圧装置に接続してある蓄電装置を交換する場合に、運転者はディーラーに車両を乗り入れ、例えば、変圧装置の実行プログラムを変更することによって、変圧装置が、新たに接続された蓄電装置に印加する電圧を変更してもらう必要がある。この場合、運転者にとって蓄電装置を交換する作業が手間であるという問題がある。
【００１１】
本発明は斯かる事情に鑑みてなされたものであり、その目的とするところは、変圧装置に接続してある蓄電装置を交換した場合に、新たに接続された蓄電装置に印加する電圧を適切な電圧に容易に変更することができる電源システムを提供することにある。
【課題を解決するための手段】
【００１２】
本発明に係る電源システムは、複数の蓄電装置と、該複数の蓄電装置中の１つが一端に接離可能に接続され、他端に印加された印加電圧を目標電圧に変圧し、該目標電圧を、前記一端に接続してある蓄電装置に印加する変圧装置とを備える電源システムであって、前記複数の蓄電装置夫々は、自身に対応付けられた識別情報を記憶している情報記憶手段を有し、目標電圧を示す複数の電圧情報を、前記複数の蓄電装置に記憶してある識別情報夫々に対応付けて記憶している電圧記憶手段と、前記一端に接続してある蓄電装置の前記情報記憶手段から識別情報を読み出す情報読出手段と、該情報読出手段が読み出した識別情報に対応する電圧情報を前記電圧記憶手段から読み出す電圧読出手段とを備え、前記変圧装置は、前記印加電圧を、前記電圧読出手段が読み出した電圧情報が示す目標電圧に変圧するように構成してあることを特徴とする。
【００１３】
本発明にあっては、変圧装置の一端には、複数の蓄電装置中の１つが接離可能に接続されている。変圧装置は、他端に印加された印加電圧を目標電圧に変圧し、目標電圧を、変圧装置の一端に接続されている蓄電装置に印加する。複数の蓄電装置夫々には識別情報が対応付けられており、複数の蓄電装置夫々は、自身に対応付けられた識別情報を情報記憶手段に記憶している。電圧記憶手段には、複数の識別情報夫々に対応付けて複数の電圧情報が記憶されている。複数の電圧情報夫々は目標電圧を示している。
【００１４】
そして、変圧装置の一端に接続してある蓄電装置の情報記憶手段から識別情報を読み出し、読み出した識別情報に対応する電圧情報を電圧記憶手段から読み出す。その後、変圧装置は、印加電圧を、読み出した電圧情報が示す目標電圧に変圧する。
このため、変圧装置の一端に接続してある蓄電装置が交換された場合に、新たに接続された蓄電装置に印加する目標電圧を、該蓄電装置にとって適切な電圧に容易に変更することが可能となる。
【００１５】
本発明に係る電源システムは、蓄電装置の種類を示す複数の種類情報を、前記複数の蓄電装置に記憶してある識別情報夫々に対応付けて記憶している種類記憶手段と、前記情報読出手段が読み出した識別情報に対応する種類情報を前記種類記憶手段から読み出す種類読出手段と、該種類読出手段が読み出した種類情報が示す種類に応じた方法で、前記一端に接続してある蓄電装置の蓄電率を算出する算出手段とを備えることを特徴とする。
【００１６】
本発明にあっては、種類記憶手段は、複数の蓄電装置に記憶してある識別情報夫々に対応付けて複数の種類情報を記憶している。複数の種類情報夫々は、コンデンサ又は蓄電池等の蓄電装置の種類を示している。変圧装置の一端に接続してある蓄電装置から識別情報を読み出し、読み出した識別情報に対応する種類情報を読み出す。そして、読み出した種類情報が示す種類に対応する方法で、変圧装置の一端に接続してある蓄電装置の蓄電率が算出される。
【００１７】
これにより、変圧装置の一端に接続されている蓄電装置を、種類が異なる蓄電装置に交換した場合であっても、蓄電率が正確に算出される。従って、正確に算出された蓄電率に基づいて、例えば、変圧装置の一端に接続してある蓄電装置の充電を適正に制御することが可能となる。
【００１８】
本発明に係る電源システムは、前記複数の蓄電装置に記憶してある識別情報夫々には蓄電装置の種類を示す種類情報が含まれており、前記情報読出手段が読み出した識別情報に含まれる種類情報が示す種類に応じた方法で、前記一端に接続してある蓄電装置の蓄電率を算出する算出手段を備えることを特徴とする。
【００１９】
本発明にあっては、複数の蓄電装置に記憶してある識別情報夫々に蓄電装置の種類を示す種類情報が含まれている。そして、変圧装置の一端に接続してある蓄電装置から識別情報を読み出し、読み出した識別情報に含まれる種類情報が示す種類に対応した方法で、変圧装置の一端に接続してある蓄電装置の蓄電率を算出する。
【００２０】
これにより、変圧装置の一端に接続されている蓄電装置を、種類が異なる蓄電装置に交換した場合であっても、蓄電率が正確に算出される。従って、正確に算出された蓄電率に基づいて、例えば、変圧装置の一端に接続してある蓄電装置の充電を適正に制御することが可能となる。
【００２１】
本発明に係る電源システムは、一端に印加された印加電圧を目標電圧に変圧する変圧装置と、前記変圧装置の他端から前記目標電圧が印加される蓄電装置とを備える電源システムにおいて、前記蓄電装置は、目標電圧を示す電圧情報を記憶している電圧記憶手段を有し、前記電圧記憶手段から前記電圧情報を読み出す電圧読出手段を備え、前記変圧装置は、前記印加電圧を、前記電圧読出手段が読み出した電圧情報が示す目標電圧に変圧するように構成してあることを特徴とする。
【００２２】
本発明にあっては、変圧装置の一端には印加電圧が印加され、変圧装置は印加電圧を目標電圧に変圧し、目標電圧を、変圧装置の他端から蓄電装置に印加する。蓄電装置は目標電圧を示す電圧情報を電圧記憶手段に記憶している。蓄電装置の電圧記憶手段から電圧情報を読み出す。変圧装置は、印加電圧を、電圧記憶手段から読み出した電圧情報が示す目標電圧に変圧する。
このため、変圧装置の他端に接続してある蓄電装置が交換された場合に、新たに接続された蓄電装置に印加する目標電圧を適切な電圧に容易に変更することが可能となる。
【００２３】
本発明に係る電源システムは、前記蓄電装置は、蓄電装置の種類を示す種類情報を記憶している種類記憶手段を有し、前記種類記憶手段から前記種類情報を読み出す種類読出手段と、該種類読出手段が読み出した種類情報が示す種類に応じた方法で前記蓄電装置の蓄電率を算出する算出手段とを備えることを特徴とする。
【００２４】
本発明にあっては、蓄電装置は、コンデンサ又は蓄電池等を示す蓄電装置の種類を示す種類情報を記憶している。蓄電装置から種類情報を読み出し、読み出した種類情報が示す種類に対応する方法で蓄電装置の蓄電率が算出される。
【００２５】
これにより、変圧装置の一端に接続されている蓄電装置を、種類が異なる蓄電装置に交換した場合であっても、蓄電率が正確に算出される。従って、正確に算出された蓄電率に基づいて、例えば、蓄電装置の充電を適正に制御することが可能となる。
【００２６】
本発明に係る電源システムは、複数の蓄電装置と、該複数の蓄電装置中の１つが一端に接離可能に接続され、他端に印加された印加電圧を目標電圧に変圧し、該目標電圧を、前記一端に接続してある蓄電装置に印加する変圧装置とを備える電源システムであって、前記複数の蓄電装置夫々には、一又は複数の凸部が設けられており、前記凸部の数及び位置の組合せは前記複数の蓄電装置夫々について異なっており、目標電圧を示す複数の電圧情報を、前記凸部の複数の位置パターン夫々に対応付けて記憶している電圧記憶手段と、前記一端に接続してある蓄電装置に設けられている前記凸部の位置パターンを検出するパターン検出手段と、前記パターン検出手段が検出した位置パターンに対応する電圧情報を前記電圧記憶手段から読み出す電圧読出手段とを備え、前記変圧装置は、前記印加電圧を、前記電圧読出手段が読み出した電圧情報が示す目標電圧に変圧するように構成してあることを特徴とする。
【００２７】
本発明にあっては、変圧装置の一端には、複数の蓄電装置中の１つが接離可能に接続されている。変圧装置は、他端に印加された印加電圧を目標電圧に変圧し、目標電圧を、変圧装置の一端に接続してある蓄電装置に印加する。複数の蓄電装置には一又は複数の凸部が設けられており、凸部の数及び位置の組合せは、複数の蓄電装置夫々について異なっている。電圧記憶手段には、凸部の複数の位置パターン夫々に対応付けて電圧情報が記憶してある。
【００２８】
例えば、複数の蓄電装置夫々に凸部の位置として第１位置及び第２位置がある場合、凸部が第１及び第２位置夫々に設けられている位置パターン、凸部が第１位置のみに設けられている位置パターン及び凸部が第２位置のみに設けられている位置パターンが考えられる。
【００２９】
変圧装置の一端に接続してある蓄電装置に設けられている凸部の位置パターンを検出する。そして、検出した位置パターンに対応する電圧情報を電圧記憶手段から読み出す。その後、変圧装置は、印加電圧を、読み出した電圧情報が示す目標電圧に変圧する。
このため、変圧装置の一端に接続してある蓄電装置が交換された場合に、新たに接続された蓄電装置に印加する目標電圧を、該蓄電装置とって適切な電圧に容易に変更することが可能となる。
【００３０】
本発明に係る電源システムは、蓄電装置の種類を示す複数の種類情報を、前記凸部の複数の位置パターン夫々に対応付けて記憶している種類記憶手段と、前記パターン検出手段が検出した位置パターンに対応する種類情報を前記種類記憶手段から読み出す種類読出手段と、該種類読出手段が読み出した種類情報が示す種類に応じた方法で、前記一端に接続してある蓄電装置の蓄電率を算出する算出手段とを備えることを特徴とする。
【００３１】
本発明にあっては、種類記憶手段は、凸部の複数の位置パターン夫々に対応付けて複数の種類情報を記憶している。複数の種類情報夫々は、コンデンサ又は蓄電池等の蓄電装置の種類を示している。変圧装置の一端に接続してある蓄電装置に設けてある凸部の位置パターンを検出し、検出した位置パターンに対応する種類情報を読み出す。そして、読み出した種類情報が示す種類に応じた方法で、変換装置の一端に接続してある蓄電装置の蓄電率を算出する。
【００３２】
これにより、変圧装置の一端に接続されている蓄電装置を、種類が異なる蓄電装置に交換した場合であっても、蓄電率が正確に算出される。従って、正確に算出された蓄電率に基づいて、例えば、変圧装置の一端に接続してある蓄電装置の充電を適正に制御することが可能となる。
【００３３】
本発明に係る電源システムは、前記種類記憶手段は、前記種類情報として、コンデンサ又は蓄電池を示す情報を記憶していることを特徴とする。
【００３４】
本発明にあっては、種類情報として、コンデンサ又は蓄電池を示す情報が記憶されているので、コンデンサに応じた方法による蓄電率の算出と、蓄電池に応じた方法による蓄電率の算出とが行われる。
【００３５】
本発明に係る電源システムは、前記算出手段が算出した蓄電率が前記所定率以上である場合に発電を停止する発電機を備え、該発電機が発生した電圧が、前記印加電圧として前記変圧装置に印加されるように構成してあることを特徴とする。
【００３６】
本発明にあっては、算出された蓄電率が所定率、例えば８０％以上である場合、発電機は、発電を停止し、蓄電装置に給電されることはない。
このため、蓄電装置の蓄電率を所定率以下に保つことができ、これにより、必要以上の蓄電によって生じる蓄電容量の激しい減少が防止される。
【発明の効果】
【００３７】
本発明によれば、変圧装置に接続してある蓄電装置を交換した場合に、新たに接続された蓄電装置に印加する電圧を適切な電圧に容易に変更することができる。
【図面の簡単な説明】
【００３８】
【図１】実施の形態１における電源システムの要部構成を示すブロック図である。
【図２】変圧装置、監視装置及び蓄電装置夫々の要部構成を示すブロック図である。
【図３】変圧装置の記憶部が記憶している内容の一例を示す図表である。
【図４】監視装置の記憶部が記憶している内容の一例を示す図表である。
【図５】変圧装置の制御部が実行する動作の手順を示すフローチャートである。
【図６】変圧装置の制御部が実行する動作の手順を示すフローチャートである。
【図７】監視装置の制御部が実行する動作の手順を示すフローチャートである。
【図８】監視装置の制御部が実行する動作の手順を示すフローチャートである。
【図９】実施の形態３における変圧装置の制御部が実行する動作の手順を示すフローチャートである。
【図１０】実施の形態３における変圧装置の制御部が実行する動作の手順を示すフローチャートである。
【図１１】実施の形態３における監視装置の制御部が実行する動作の手順を示すフローチャートである。
【図１２】実施の形態３における監視装置の制御部が実行する動作の手順を示すフローチャートである。
【図１３】実施の形態４における電源システムの要部構成を示すブロック図である。
【図１４】蓄電装置の外観図である。
【図１５】蓄電装置の収容を説明するための説明図である。
【図１６】変圧装置、監視装置及び蓄電装置夫々の要部構成を示すブロック図である。
【図１７】変圧装置の記憶部が記憶している内容を示す図表である。
【図１８】監視装置の記憶部が記憶している内容を示す図表である。
【図１９】変圧装置の制御部が実行する動作の手順を示すフローチャートである。
【図２０】変圧装置の制御部が実行する動作の手順を示すフローチャートである。
【図２１】監視装置の制御部が実行する動作の手順を示すフローチャートである。
【図２２】監視装置の制御部が実行する動作の手順を示すフローチャートである。
【発明を実施するための形態】
【００３９】
以下、本発明をその実施の形態を示す図面に基づいて詳述する。
（実施の形態１）
図１は実施の形態１における電源システムの要部構成を示すブロック図である。この電源システム１は、発電機１０、変圧装置１１、スイッチ１２、負荷１３、蓄電器１４、スタータ１５、コネクタ１６、制御装置１７、監視装置１８、複数の蓄電装置１９ａ，１９ｂ，１９ｃ，・・・、電線Ｐ１及び抵抗Ｒ１を備える。変圧装置１１は、第１端子から第５端子を有する。車両には、発電機１０、変圧装置１１、スイッチ１２、負荷１３、蓄電器１４、スタータ１５、コネクタ１６、制御装置１７及び監視装置１８と、複数の蓄電装置１９ａ，１９ｂ，１９ｃ，・・・中の１つとが搭載される。
【００４０】
発電機１０の一端は、変圧装置１１の第１端子、スイッチ１２の一端及び負荷１３の一端に接続されている。スイッチ１２の他端は、蓄電器１４の正極及びスタータ１５の一端に接続されている。発電機１０、負荷１３及びスタータ１５夫々の他端と、蓄電器１４の負極とは接地されている。変圧装置１１の第２端子は電線Ｐ１の一端に接続されている。変圧装置１１の第３及び第４端子夫々と電線Ｐ１の他端とはコネクタ１６に各別に接続されている。変圧装置１１の第４端子及び監視装置１８夫々は抵抗Ｒ１の一端に接続されており、抵抗Ｒ１の他端には電圧Ｖｃｃが印加されている。変圧装置１１の第５端子は制御装置１７に接続されている。
【００４１】
コネクタ１６は、更に監視装置１８に接続されており、接地もされている。コネクタ１６は、後述する蓄電装置１９ａのコネクタ３０（図２参照）と接離可能に接続される。蓄電装置１９ｂ，１９ｃ，・・・夫々は、蓄電装置１９ａと同様にコネクタ３０を有しており、コネクタ１６は、蓄電装置１９ｂ，１９ｃ，・・・夫々のコネクタ３０とも接離可能に接続される。従って、変圧装置１１は、複数の蓄電装置１９ａ，１９ｂ，１９ｃ，・・・中の１つが第２端子に接離可能に接続される。監視装置１８は、コネクタ１６の他に、電線Ｐ１及びコネクタ１６間の接続ノードと制御装置１７とに接続されている。
【００４２】
発電機１０は、制御装置１７から発電指示が入力されている場合、車両の運動エネルギーを電力に変換し、回生電力を発生する。具体的には、発電機１０は、交流電力を生成し、生成した交流電力を直流電力に整流し、直流電力を出力する。発電機１０は、この直流電力に係る電圧を出力電圧として出力する。発電機１０が発生した電圧は、変圧装置１１の第１端子に印加される印加電圧として、変圧装置１１の第１端子に印加される。
【００４３】
発電機１０は、スイッチ１２がオンである場合、出力電圧を、変圧装置１１の第１端子と、負荷１３の一端と、蓄電器１４の正極とに印加する。これにより、負荷１３及び蓄電器１４は給電される。発電機１０は、スイッチ１２がオフである場合、出力電圧を、変圧装置１１の第１端子と負荷１３の一端とに印加する。これにより、負荷１３が給電される。
発電機１０は、制御装置１７から発電指示が入力されていない場合、回生電力を発生しない。
【００４４】
変圧装置１１には、発電機１０が発電しているか否かを示す発電情報が制御装置１７から入力される。変圧装置１１は、入力された発電情報が発電機１０の発電を示す場合、発電機１０によって第１端子に印加された印加電圧を一定の目標電圧に変圧し、目標電圧を、電線Ｐ１及びコネクタ１６を介して、第２端子に接続してある蓄電装置１９ａに印加する。これにより、蓄電装置１９ａが給電される。コネクタ１６に蓄電装置１９ｂ，１９ｃ，・・・中の１つが接続されている場合、コネクタ１６に接続されている蓄電装置は、蓄電装置１９ａと同様に給電される。
【００４５】
発電機１０が発電していない場合、コネクタ１６に接続してある蓄電装置１９ａの出力電圧が、電線Ｐ１を介して、変圧装置１１の第２端子に印加される。蓄電装置１９ｂ，１９ｃ，・・・中の１つがコネクタ１６に接続してある場合においては、発電機１０が発電していないとき、変圧装置１１の第２端子には、蓄電装置１９ａと同様に、コネクタ１６に接続してある蓄電装置の出力電圧が電線Ｐ１を介して印加される。
【００４６】
変圧装置１１は、入力された発電情報が発電機１０の発電を示さない場合、第２端子に印加された電圧を変圧する。このとき、変圧装置１１は、スイッチ１２がオンである場合、変圧した電圧を負荷１３の一端と蓄電器１４の正極とに印加し、スイッチ１２がオフである場合、変圧した電圧を負荷１３の一端とに印加する。
【００４７】
蓄電装置１９ａは、変圧装置１１の第２端子から電線Ｐ１及びコネクタ１６を介して目標電圧が印加されている場合に給電され、発電機１０が発電していない場合、出力電圧を、コネクタ１６及び電線Ｐ１を介して、変圧装置１１の第２端子に印加する。蓄電装置１９ｂ，１９ｃ，・・・夫々も、コネクタ１６と接続している場合、蓄電装置１９ａと同様に作用する。
【００４８】
監視装置１８には制御装置１７から発電情報が入力される。また、監視装置１８は、電線Ｐ１及びコネクタ１６間の接続ノードにおける電圧を検出することによって、蓄電装置１９ａに印加される電圧と、蓄電装置１９ａの出力電圧とを検出する。更に、監視装置１８は、電線Ｐ１及びコネクタ１６間に流れる電流を検出することによって、変圧装置１１の第２端子から蓄電装置１９ａへ流れる充電電流と、蓄電装置１９ａの出力電流とを検出する。監視装置１８は、入力された発電情報と、検出した電圧及び電流とに基づいて、蓄電装置１９ａの蓄電率を算出し、算出した蓄電率を示す蓄電率情報を制御装置１７に出力する。
蓄電装置１９ｂ，１９ｃ，・・・中の１つが接続している場合においても、監視装置１８は、蓄電装置１９ａについて行った処理と同様の処理を行う。
【００４９】
制御装置１７には、監視装置１８から蓄電率情報が入力され、外部から車両の走行に関する走行情報が入力される。走行情報には、車両の速度を示す車速情報、ブレーキペダルの踏み込み量を示すブレーキ情報及びアクセルペダルの踏み込み量を示すアクセル情報の少なくとも１つが含まれている。
【００５０】
制御装置１７は、入力された走行情報に基づいて、発電機１０が回生電力を発生することが可能か否かを判定する。制御装置１７は、例えば、車両が減速していることが、入力された走行情報によって示されている場合、発電機１０が回生電力を発生することが可能と判定する。また制御装置１７は、例えば、一定の速度での車両の走行、又は、車両の加速が、入力された走行情報によって示されている場合、発電機１０が回生電力を発生することが不可能と判定する。
【００５１】
制御装置１７は、走行情報に基づいて回生電力を発生することが可能と判定した場合において、監視装置１８から入力された蓄電率情報が示す蓄電率が基準率、例えば８０％未満であるとき、発電指示を発電機１０に出力する。このとき、制御装置１７は、発電指示を発電機１０に出力すると共に、発電機１０が発電していることを示す発電情報を変圧装置１１及び監視装置１８に出力する。
【００５２】
制御装置１７は、走行情報に基づいて回生電力を発生することが不可能と判定したか、又は、蓄電率情報が示す蓄電率が基準率以上である場合、発電指示を発電機１０に出力せず、発電機１０が発電していないことを示す発電情報を変圧装置１１及び監視装置１８に出力する。
【００５３】
負荷１３は、車両に搭載されるランプ又はワイパー等の車載機器である。負荷１３は、発電機１０又は変圧装置１１から電圧が印加された場合、給電される。
蓄電器１４は、例えば、鉛蓄電池である。スイッチ１２がオンである場合、発電機１０の一端又は変圧装置１１の第１端子から電圧が蓄電器１４の正極に電圧が印加され、蓄電器１４は給電される。蓄電器１４は、スイッチ１２がオフである場合、スタータ１５に給電する。
スタータ１５は、車両に搭載された図示しないエンジンを駆動するためのモータである。
【００５４】
スイッチ１２は、図示しない外部装置によってオン／オフされる。外部装置にはスタータ１５の作動を事前に示す事前信号が入力される。外部装置は、通常、スイッチ１２をオンに維持している。外部装置は、事前信号が入力された場合、スイッチ１２をオフにする。これにより、スタータ１５は、蓄電器１４が蓄えている電力を用いて作動する。外部装置は、事前信号が入力されてから、スタータ１５がエンジンを駆動するために必要な十分な時間が経過した後、スイッチ１２をオンに戻す。
【００５５】
図２は変圧装置１１、監視装置１８及び蓄電装置１９ａ夫々の要部構成を示すブロック図である。
変圧装置１１は、電圧検出部２０，２１、記憶部２２、出力部２３、入力部２４、読出部２５、制御部２６及びＤＣ／ＤＣコンバータ２７を有する。ＤＣ／ＤＣコンバータ２７は、変圧装置１１の第１及び第２端子の間、言い換えると、発電機１０及び電線Ｐ１夫々の一端の間に接続されている。ＤＣ／ＤＣコンバータ２７は、更に、出力部２３に接続されている。
【００５６】
制御部２６は、バス２８を介して、電圧検出部２０，２１、記憶部２２、出力部２３、入力部２４及び読出部２５に接続されている。電圧検出部２０は、更に、変圧装置１１の第１及び第２端子に各別に接続されている。入力部２４は、更に、制御装置１７に接続されている。読出部２５は、更に、コネクタ１６を介して蓄電装置１９ａに接続されている。読出部２５は、蓄電装置１９ｂ，１９ｃ，・・・中の１つとも、コネクタ１６を介して接続される。電圧検出部２１は、更に、抵抗Ｒ１及びコネクタ１６間の接続ノードに接続されている。
【００５７】
ＤＣ／ＤＣコンバータ２７は、図示しないコイルと、このコイルに接続される図示しない複数の半導体スイッチとを有し、複数の半導体スイッチは、出力部２３に各別に接続されている。出力部２３は、複数の半導体スイッチ夫々にハイレベル又はローレベルの電圧を出力する。複数の半導体スイッチ夫々は、ハイレベルの電圧が入力された場合にオンとなり、ローレベルの電圧が入力された場合にオフとなる。以上のようにして、出力部２３は、複数の半導体スイッチをオン／オフする。ＤＣ／ＤＣコンバータ２７は、出力部２３が複数の半導体スイッチを各別にオン／オフすることによって、第１端子に印加された印加電圧の変圧と、第２端子に印加された電圧の変圧とを行う。
【００５８】
出力部２３は、複数の半導体スイッチ夫々のオン／オフ制御を変更することによって、第１端子に印加された印加電圧の変圧と、第２端子に印加された電圧の変圧との間の切り替えを行うことが可能である。更に、出力部２３は、複数の半導体スイッチ夫々のオン／オフ制御を調整することによって、第１端子又は第２端子に印加されている電圧からの昇圧幅及び降圧幅を調整することが可能である。
【００５９】
電圧検出部２０は、変圧装置１１の第１及び第２端子夫々における電圧を検出する。電圧検出部２０が検出した電圧は制御部２６によって読み込まれる。
電圧検出部２１は、抵抗Ｒ１及びコネクタ１６間の接続ノードにおける電圧を検出する。電圧検出部２１が検出した電圧は制御部２６によって読み込まれる。
【００６０】
複数の蓄電装置１９ａ，１９ｂ，１９ｃ，・・・夫々には、識別情報が対応付けられている。蓄電装置１９ａ，１９ｂ，１９ｃ，・・・夫々は記憶部３２を有し、複数の蓄電装置１９ａ，１９ｂ，１９ｃ，・・・夫々の記憶部３２は、自身に対応付けられた識別情報を記憶している。蓄電装置１９ａ，１９ｂ，１９ｃ，・・・夫々の識別情報は、ＩＤ１，ＩＤ２，ＩＤ３，・・・である。
記憶部２２は、現在、設定されている目標電圧を示す設定情報を記憶している。記憶部２２は、更に、目標電圧を示す複数の電圧情報を、複数の蓄電装置１９ａ，１９ｂ，１９ｃ，・・・に記憶してある識別情報ＩＤ１，ＩＤ２，ＩＤ３，・・・夫々に対応付けて記憶している。
【００６１】
図３は変圧装置１１の記憶部２２が記憶している内容の一例を示す図表である。図３には、電源システム１が４つの蓄電装置１９ａ，１９ｂ，１９ｃ，１９ｄを備える場合において、記憶部２２に記憶してある内容が示されている。記憶部２２は、複数の識別情報ＩＤ１，ＩＤ２，ＩＤ３，ＩＤ４夫々に対応付けて電圧情報を記憶しており、図３には、識別情報ＩＤ１，ＩＤ２，ＩＤ３，ＩＤ４夫々に対応する電圧情報が示す目標電圧が示されている。
【００６２】
識別情報ＩＤ１，ＩＤ２，ＩＤ３，ＩＤ４夫々に対応する複数の電圧情報が示す目標電圧は、Ｖ１，Ｖ２，Ｖ３，Ｖ４である。目標電圧Ｖ１，Ｖ２，Ｖ３，Ｖ４夫々は、識別情報ＩＤ１，ＩＤ２，ＩＤ３，ＩＤ４に対応する蓄電装置１９ａ，１９ｂ，１９ｃ，１９ｄに印加すべき目標電圧である。
記憶部２２に記憶してある内容は、制御部２６によって読み出され、更に、書き換えられる。
【００６３】
出力部２３は、制御部２６の指示に従って、ＤＣ／ＤＣコンバータ２７が有する複数の半導体スイッチ夫々のオン／オフ制御を行う。
入力部２４には制御装置１７から発電情報が入力され、入力部２４は、入力された発電情報を制御部２６に通知する。
【００６４】
読出部２５は、電線Ｐ１及びコネクタ１６を介して、変圧装置１１の第２端子に接続してある蓄電装置１９ａの記憶部３２から識別情報ＩＤ１を読み出す。蓄電装置１９ｂ，１９ｃ，・・・中の１つがコネクタ１６に接続している場合、読出部２５は、蓄電装置１９ａがコネクタ１６に接続している場合と同様に、変圧装置１１の第２端子に接続してある蓄電装置の記憶部３２から識別情報を読み出す。読出部２５は、読み出した識別情報を制御部２６に通知する。
【００６５】
制御部２６は、電圧検出部２０，２１夫々の検出結果と、記憶部２２の記憶内容と、入力部２４に入力された発電情報と、読出部２５が読み出した識別情報とに基づいて、ＤＣ／ＤＣコンバータ２７の動作を制御する。制御部２６の詳細な動作については後述する。
【００６６】
蓄電装置１９ａは、記憶部３２の他に、コネクタ３０及び蓄電部３１を有する。コネクタ３０はコネクタ１６に接離可能に接続する。蓄電部３１及び記憶部３２はコネクタ３０に接続している。コネクタ３０がコネクタ１６に接続している場合において、蓄電部３１の正極は、電線Ｐ１及びコネクタ１６，３０を介して変圧装置１１のＤＣ／ＤＣコンバータ２７に接続し、蓄電部３１の負極は接地されている。また、コネクタ３０がコネクタ１６に接続している場合、記憶部３２は、変圧装置１１の読出部２５と、監視装置１８とに各別に接続され、抵抗Ｒ１の一端は接地される。
蓄電装置１９ｂ，１９ｃ，・・・夫々も、蓄電装置１９ａと同様に、コネクタ３０、蓄電部３１及び記憶部３２を有し、蓄電装置１９ａと同様に接続される。
【００６７】
蓄電部３１は、電気二重層キャパシタ等のコンデンサか、又は、リチウムイオン電池等の蓄電池である。蓄電部３１は、発電機１０が発電している場合、変圧装置１１のＤＣ／ＤＣコンバータ２７から目標電圧が電線Ｐ１及びコネクタ１６，３０を介して印加される。これにより、蓄電部３１は給電される。また、発電機１０が発電していない場合、蓄電部３１の出力電圧が電線Ｐ１及びコネクタ１６，３０を介して、変圧装置１１の第２端子に印加され、ＤＣ／ＤＣコンバータ２７は、蓄電部３１の出力電圧を変圧する。
【００６８】
蓄電装置１９ａの記憶部３２は、前述したように、蓄電装置１９ａに対応付けられた識別情報ＩＤ１を記憶している。蓄電装置１９ｂ，１９ｃ，・・・夫々の記憶部３２は、蓄電装置１９ｂ，１９ｃ，・・・夫々に対応付けられた識別情報ＩＤ２，ＩＤ３，・・・を記憶している。記憶部３２に記憶してある識別情報は、変圧装置１１の読出部２５及び監視装置１８によって読み出される。
【００６９】
コネクタ１６がコネクタ３０に接続している場合、抵抗Ｒ１の一端が接地されているため、変圧装置１１の電圧検出部２１はゼロボルトを検出する。コネクタ１６がコネクタ３０に接続していない場合、抵抗Ｒ１の一端における電位が接地電位から独立するため、電圧検出部２１は、電圧Ｖｃｃを検出する。従って、電圧検出部２１が検出した電圧が、ゼロボルトよりも高くて電圧Ｖｃｃよりも低い基準電圧以上であるか否かに基づいて、コネクタ１６がコネクタ３０に接続したか否かを判定することが可能となる。
【００７０】
監視装置１８は、記憶部４１、出力部４２、入力部４３、読出部４４、電圧検出部４５，４６、電流検出部４７及び制御部４８を有する。制御部４８は、バス４９を介して、記憶部４１、出力部４２、入力部４３、読出部４４、電圧検出部４５，４６及び電流検出部４７に接続している。出力部４２及び入力部４３夫々は、更に、制御装置１７に各別に接続している。読出部４４は、更にコネクタ１６に接続している。読出部４４は、コネクタ１６が蓄電装置１９ａのコネクタ３０に接続している場合、蓄電装置１９ａの記憶部３２に接続する。ここで、読出部４４は、コネクタ１６が蓄電装置１９ｂ，１９ｃ，・・・中の１つのコネクタ３０に接続している場合においては、コネクタ１６に接続してある蓄電装置の記憶部３２に接続する。
【００７１】
電圧検出部４５は、更に抵抗Ｒ１及びコネクタ１６間の接続ノードに接続している。電圧検出部４６は、更に電線Ｐ１及びコネクタ１６間の接続ノードに接続している。
【００７２】
記憶部４１は、蓄電装置の種類、静電容量、上限電圧、蓄電容量及び蓄電率を示す設定情報を記憶している。ここで、蓄電装置の種類は、蓄電装置１９ａ，１９ｂ，１９ｃ，・・・夫々が有する蓄電部３１の種類であり、記憶部４１の設定情報は、種類としてコンデンサ又は蓄電池を示す。
【００７３】
静電容量及び上限電圧は、蓄電装置１９ａ，１９ｂ，１９ｃ，・・・の中でコネクタ１６に接続してある蓄電装置の種類がコンデンサである場合における蓄電率の計算に用いられる。上限電圧は、変圧装置１１によって印加されることが可能な上限の電圧であり、予め設定されている。上限電圧は、蓄電部３１の耐圧の所定率、例えば８０％に設定される。
蓄電容量は、蓄電装置１９ａ，１９ｂ，１９ｃ，・・・の中でコネクタ１６に接続してある蓄電装置の種類が蓄電池である場合における蓄電率の計算に用いられる。蓄電容量は、蓄電部３１に蓄電することが可能な容量を示す。
【００７４】
記憶部４１は、更に、蓄電装置の種類を示す複数の種類情報、蓄電装置の静電容量を示す複数の静電容量情報、蓄電装置の上限電圧を示す複数の上限電圧情報、蓄電装置の蓄電容量を示す複数の蓄電容量情報、及び、蓄電装置の開放電圧と蓄電率との関係が示された複数の蓄電率カーブを記憶している。
【００７５】
記憶部４１は、複数の種類情報を、複数の蓄電装置１９ａ，１９ｂ，１９ｃ，・・・に記憶してある識別情報ＩＤ１，ＩＤ２，ＩＤ３，・・・夫々に対応付けて記憶している。記憶部４１は、種類情報として、コンデンサ又は蓄電池を示す情報を記憶している。記憶部４１は、複数の静電容量情報、複数の上限電圧情報、複数の蓄電容量情報及び複数の蓄電率カーブについても、複数の種類情報と同様に識別情報ＩＤ１，ＩＤ２，ＩＤ３，・・・夫々に対応付けて記憶している。
【００７６】
図４は、監視装置１８の記憶部４１が記憶している内容の一例を示す図表である。図４には、電源システム１が４つの蓄電装置１９ａ，１９ｂ，１９ｃ，１９ｄを備える場合において、記憶部４１に記憶してある内容が示されている。記憶部４１は、複数の識別情報ＩＤ１，ＩＤ２，ＩＤ３，ＩＤ４夫々に対応付けて、種類情報、静電容量情報、上限電圧情報、蓄電容量情報及び蓄電率カーブを記憶している。図４には、識別情報ＩＤ１，ＩＤ２，ＩＤ３，ＩＤ４夫々に対応する種類情報、静電容量情報、上限電圧情報、蓄電容量情報及び蓄電率カーブ夫々が示す種類、静電容量、上限電圧、蓄電容量及び蓄電率カーブが示されている。
【００７７】
識別情報ＩＤ１に対応する種類情報、静電容量情報及び上限電圧情報が示す種類、静電容量及び上限電圧夫々は、コンデンサ、Ｃａ及びＶａである。識別情報ＩＤ１に対応する蓄電装置１９ａの種類がコンデンサであるため、記憶部４１は、識別情報ＩＤ１に対応する蓄電容量情報及び蓄電率カーブを記憶していない。
【００７８】
識別情報ＩＤ２に対応する種類情報、静電容量情報及び上限電圧情報は、識別情報ＩＤ１に対応する種類情報、静電容量情報及び上限電圧情報と同様に記憶されている。識別情報ＩＤ２に対応する種類情報、静電容量情報及び上限電圧情報夫々が示す種類、静電容量及び上限電圧夫々は、コンデンサ、Ｃｂ及びＶｂである。
【００７９】
識別情報ＩＤ３に対応する種類情報及び蓄電容量情報夫々が示す種類及び蓄電容量夫々は、蓄電池及びＳａである。識別情報ＩＤ３に対応する蓄電率カーブはグラフＡである。識別情報ＩＤ３に対応する蓄電装置１９ｃの種類が蓄電池であるため、記憶部４１は、識別情報ＩＤ３に対応する静電容量情報及び上限電圧情報を記憶していない。
【００８０】
識別情報ＩＤ４に対応する種類情報、蓄電容量情報及び蓄電率カーブは、識別情報ＩＤ３に対応する種類情報、蓄電容量情報及び蓄電率カーブと同様に記憶されている。識別情報ＩＤ４に対応する種類情報及び蓄電容量情報夫々が示す種類及び蓄電容量夫々は蓄電池及びＳｂである。また、識別情報ＩＤ４に対応する蓄電率カーブはグラフＢである。
記憶部４１に記憶してある内容は、制御部４８によって読み出され、更に、書き換えられる。
【００８１】
出力部４２は、制御部４８の指示に従って、制御部４８が算出した蓄電率を示す蓄電率情報を制御装置１７に出力する。
入力部４３には制御装置１７から発電情報が入力され、入力部４３は、入力された発電情報を制御部４８に通知する。
【００８２】
読出部４４は、電線Ｐ１及びコネクタ１６を介して、変圧装置１１の第２端子に接続してある蓄電装置１９ａの記憶部３２から識別情報ＩＤ１を読み出す。蓄電装置１９ｂ，１９ｃ，・・・中の１つがコネクタ１６に接続している場合、読出部４４は、蓄電装置１９ａがコネクタ１６に接続している場合と同様に、変圧装置１１の第２端子に接続してある蓄電装置の記憶部３２から識別情報を読み出す。読出部４４は、読み出した識別情報を制御部４８に通知する。
【００８３】
電圧検出部４５は、抵抗Ｒ１及びコネクタ１６間の接続ノードにおける電圧を検出する。電圧検出部４５が検出した電圧は制御部４８によって読み込まれる。コネクタ１６に、蓄電装置１９ａ，１９ｂ，１９ｃ，・・・中の１つが接続されている場合、電圧検出部４５は基準電圧未満の電圧、具体的にはゼロボルトを検出する。また、コネクタ１６に蓄電装置１９ａ，１９ｂ，１９ｃ，・・・のいずれもが接続していない場合、電圧検出部４５は、基準電圧以上の電圧、具体的には電圧Ｖｃｃを検出する。
【００８４】
電圧検出部４６は、発電機１０が発電している場合、蓄電装置１９ａの蓄電部３１に印加される電圧を検出し、発電機１０が発電していない場合、蓄電装置１９ａの蓄電部３１の出力電圧を検出する。蓄電装置１９ｂ，１９ｃ，・・・中の１つが接続している場合においても、電圧検出部４６は、蓄電装置１９ａについて行った検出と同様の検出を行う。電圧検出部４６が検出した電圧は制御部４８によって読み込まれる。
【００８５】
電流検出部４７は、発電機１０が発電している場合、ＤＣ／ＤＣコンバータ２７から蓄電装置１９ａの蓄電部３１へ流れる充電電流を検出する。電流検出部４７は、発電機１０が発電していない場合、蓄電装置１９ａの蓄電部３１からＤＣ／ＤＣコンバータ２７へ流れる出力電流を検出する。蓄電装置１９ｂ，１９ｃ，・・・中の１つが接続している場合においても、電流検出部４７は、蓄電装置１９ａについて行った検出と同様の検出を行う。電流検出部４７は例えば電流センサを用いて電流を検出する。電流検出部４７が検出した電流は制御部４８によって読み込まれる。
【００８６】
制御部４８は、記憶部４１の記憶内容と、入力部４３に入力された発電情報と、読出部４４が読み出した内容と、電圧検出部４５，４６夫々が検出した検出結果と、電流検出部４７が検出した検出結果とに基づいて、蓄電率を算出する。制御部４８は、算出した蓄電率を示す蓄電率情報を出力部４２に出力させる。制御部４８の詳細な動作については後述する。
【００８７】
図５及び図６は、変圧装置１１の制御部２６が実行する動作の手順を示すフローチャートである。制御部２６は、まず、複数の蓄電装置１９ａ，１９ｂ，１９ｃ，・・・の中でコネクタ１６に接続してある蓄電装置がコネクタ１６から取り外されたか否かを判定する（ステップＳ１）。ステップＳ１においては、制御部２６は、電圧検出部２１が検出した電圧が基準電圧以上である場合に蓄電装置がコネクタ１６から取り外されたと判定し、電圧検出部２１が検出した電圧が基準電圧未満である場合に蓄電装置がコネクタ１６から取り外されていないと判定する。
【００８８】
制御部２６は、蓄電装置が取り外されていないと判定した場合（Ｓ１：ＮＯ）、入力部２４に入力された発電情報に基づいて、発電機１０が発電しているか否かを判定する（ステップＳ２）。ステップＳ２では、制御部２６は、入力部２４に入力された発電情報が発電機１０の発電を示している場合に、発電機１０が発電していると判定し、入力部２４に入力された発電情報が発電機１０の発電を示していない場合に、発電機１０が発電していないと判定する。
【００８９】
制御部２６は、発電機１０が発電していると判定した場合（Ｓ２：ＹＥＳ）、ＤＣ／ＤＣコンバータ２７に、発電機１０の出力電圧を、記憶部２２の設定情報が示す目標電圧に変圧させる（ステップＳ３）。ステップＳ３では、制御部２６は、電圧検出部２０が変圧装置１１の第２端子において検出した電圧が、設定情報が示す目標電圧となるように、出力部２３に、ＤＣ／ＤＣコンバータ２７が有する複数の半導体スイッチ夫々のオン／オフ制御を行わせる。
【００９０】
制御部２６は、発電機１０が発電していないと判定した場合（Ｓ２：ＮＯ）、ＤＣ／ＤＣコンバータ２７に、コネクタ１６に接続してある蓄電装置の出力電圧、具体的には、該蓄電装置の蓄電部３１の出力電圧を変圧させる（ステップＳ４）。ステップＳ４では、制御部２６は、電圧検出部２０が変圧装置１１の第１端子において検出した電圧が、予め設定してある所定の電圧となるように、出力部２３に、ＤＣ／ＤＣコンバータ２７が有する複数の半導体スイッチ夫々のオン／オフ制御を行わせる。
制御部２６は、ステップＳ３又はステップＳ４を実行した後、処理を終了し、ステップＳ１から処理を再開する。
【００９１】
制御部２６は、蓄電装置が取り外されたと判定した場合（Ｓ１：ＹＥＳ）、複数の蓄電装置１９ａ，１９ｂ，１９ｃ，・・・中の１つがコネクタ１６に接続されたか否かを判定する（ステップＳ５）。ステップＳ５においては、制御部２６は、電圧検出部２１が検出した電圧が基準電圧以上のままである場合、蓄電装置１９ａ，１９ｂ，１９ｃ，・・・中の１つがコネクタ１６に接続されていないと判定する。また、制御部２６は、電圧検出部２１が検出した電圧が基準電圧未満となった場合、蓄電装置１９ａ，１９ｂ，１９ｃ，・・・中の１つがコネクタ１６に接続されたと判定する。
【００９２】
制御部２６は、複数の蓄電装置１９ａ，１９ｂ，１９ｃ，・・・中の１つが接続されていないと判定した場合（Ｓ５：ＮＯ）、処理をステップＳ５に戻し、複数の蓄電装置１９ａ，１９ｂ，１９ｃ，・・・中の１つがコネクタ１６に接続されるまで待機する。
【００９３】
制御部２６は、複数の蓄電装置１９ａ，１９ｂ，１９ｃ，・・・中の１つが接続されたと判定した場合（Ｓ５：ＹＥＳ）、読出部２５に指示して、蓄電装置１９ａ，１９ｂ，１９ｃ，・・・の中でコネクタ１６に接続した蓄電装置の記憶部３２から識別情報を読み出させる（ステップＳ６）。次に、制御部２６は、変圧装置１１の記憶部２２から、ステップＳ６で読出部２５が読み出した識別情報に対応する電圧情報を読み出す（ステップＳ７）。
【００９４】
次に、制御部２６は、記憶部２２に記憶してある設定情報の目標電圧を、ステップＳ７で読み出した電圧情報が示す目標電圧に書き換える（ステップＳ８）。その後、制御部２６は、処理を終了し、ステップＳ１から処理を再開する。このため、変圧装置１１は、次に、コネクタ１６に接続してある蓄電装置が取り外されるまでの間、入力部２４に入力された発電情報が発電機１０の発電を示す場合には、変圧装置１１の第１端子に印加された印加電圧を、ステップＳ７で制御部２６が読み出した電圧情報が示す目標電圧に変圧し、目標電圧を蓄電部３１に印加する。
【００９５】
以上のように構成された変圧装置１１においては、複数の蓄電装置１９ａ，１９ｂ，１９ｃ，・・・の中でコネクタ１６を介して接続してある蓄電装置が交換された場合に、新たに接続された蓄電装置に印加する目標電圧を、該蓄電装置にとって適切な電圧に容易に変更することができる。
【００９６】
図７及び図８は、監視装置１８の制御部４８が実行する動作の手順を示すフローチャートである。制御部４８は、まず、複数の蓄電装置１９ａ，１９ｂ，１９ｃ，・・・の中でコネクタ１６に接続してある蓄電装置がコネクタ１６から取り外されたか否かを判定する（ステップＳ１１）。ステップＳ１１において、制御部４８は、変圧装置１１の制御部２６がステップＳ１で行った処理と同様の処理を行う。即ち、制御部４８は、電圧検出部４５が検出した電圧が基準電圧以上である場合に蓄電装置がコネクタ１６から取り外されたと判定し、電圧検出部４５が検出した電圧が基準電圧未満である場合に蓄電装置がコネクタ１６から取り外されていないと判定する。
【００９７】
制御部４８は、蓄電装置が取り外されていないと判定した場合（Ｓ１１：ＮＯ）、記憶部４１に記憶してある設定情報が示す種類を読み出し（ステップＳ１２）、読み出した種類がコンデンサであるか否かを判定する（ステップＳ１３）。制御部４８は、種類がコンデンサであると判定した場合（Ｓ１３：ＹＥＳ）、記憶部４１に記憶してある設定情報が示す静電容量及び上限電圧を読み出し（ステップＳ１４）、電圧検出部４６が検出した電圧を読み込む（ステップＳ１５）。
【００９８】
次に、制御部４８は、ステップＳ１４で読み出した静電容量及び上限電圧と、ステップＳ１５で読み込んだ電圧とに基づいて、コネクタ１６に接続してある蓄電装置の蓄電率を算出する（ステップＳ１６）。ステップＳ１６では、制御部４８は、ステップＳ１４で読み込んだ静電容量及び上限電圧から、蓄電装置１９ａ，１９ｂ，１９ｃ，・・・の中でコネクタ１６に接続してある蓄電装置に蓄えることが可能な最大電荷量を算出する。ステップＳ１６では、制御部４８は、更に、ステップＳ１４で読み込んだ静電容量とステップＳ１５で読み込んだ電圧とから現在の電荷量を算出し、算出した現在の電荷量を、算出した最大電荷量で割ることによって現在の蓄電率を算出する。
【００９９】
制御部４８は、種類がコンデンサではない、即ち、蓄電池であると判定した場合（Ｓ１３：ＮＯ）、記憶部４１に記憶してある設定情報が示す蓄電容量及び蓄電率を読み出し（ステップＳ１７）、入力部４３に入力された発電情報を取得する（ステップＳ１８）。更に、制御部４８は、電圧検出部４６が検出した電圧を読み込み（ステップＳ１９）、電流検出部４７が検出した電流を読み込む（ステップＳ２０）。そして、制御部４８は、ステップＳ１７で読み出した蓄電容量及び蓄電率と、ステップＳ１８で取得した発電情報と、ステップＳ１９，Ｓ２０夫々で読み込んだ電圧及び電流とに基づいて、コネクタ１６に接続してある蓄電装置の蓄電量を算出する（ステップＳ２１）
【０１００】
ステップＳ２１においては、制御部４８は、ステップＳ１７で読み出した蓄電容量及び蓄電率から、ステップＳ２１を実行するまでに蓄えられた蓄電量を算出する。そして、制御部４８は、ステップＳ１８で取得した発電情報が発電機１０の発電を示す場合には、ステップＳ１９，Ｓ２０で読み込んだ電圧及び電流から、蓄電装置に供給された電力量を算出する。そして、制御部４８は、ステップＳ２１を実行するまでに蓄えられた蓄電量に電力量を加算することによって現在の蓄電量を算出する。制御部４８は、ステップＳ１８で取得した発電情報が発電機１０の発電を示さない場合には、ステップＳ１９，Ｓ２０で読み込んだ電圧及び電流から、放電量を算出する。制御部４８は、ステップＳ２１を実行するまでに蓄えられた蓄電量から放電量を減算することによって、現在の蓄電量を算出する。
【０１０１】
制御部４８は、ステップＳ２１を実行した後、ステップＳ１７で読み出した蓄電容量とステップＳ２１で算出した蓄電量とから現在の蓄電率を算出する（ステップＳ２２）。
制御部４８は、ステップＳ１６又はＳ２２を実行した後、記憶部４１の設定情報が示す蓄電率を、算出した蓄電率に書き換え（ステップＳ２３）、出力部４２に指示して、ステップＳ１６又はＳ２２で算出した蓄電率を示す蓄電率情報を制御装置１７へ出力させる（ステップＳ２４）。ここで、ステップＳ１６又はＳ２２で算出した蓄電率が基準率未満である場合、制御装置１７は発電機１０に発電指示を出力しないので、発電機１０は発電を停止する。このため、コネクタ１６に接続してある蓄電装置の蓄電率を基準率以下に保つことができ、これにより、必要以上の蓄電により生じる蓄電容量の激しい減少を防止することができる。
制御部４８は、ステップＳ２４を実行した後、処理を終了し、ステップＳ１１から処理を再開する。
【０１０２】
制御部４８は、蓄電装置が取り外されたと判定した場合（Ｓ１１：ＹＥＳ）、複数の蓄電装置１９ａ，１９ｂ，１９ｃ，・・・中の１つがコネクタ１６に接続されたか否かを判定する（ステップＳ２５）。ステップＳ２５においては、制御部４８は、電圧検出部４５が検出した電圧が基準電圧以上のままである場合、蓄電装置１９ａ，１９ｂ，１９ｃ，・・・中の１つがコネクタ１６に接続されていないと判定する。また、制御部４８は、電圧検出部４５が検出した電圧が基準電圧未満となった場合、蓄電装置１９ａ，１９ｂ，１９ｃ，・・・中の１つがコネクタ１６に接続されたと判定する。
【０１０３】
制御部４８は、複数の蓄電装置１９ａ，１９ｂ，１９ｃ，・・・中の１つが接続されていないと判定した場合（Ｓ２５：ＮＯ）、処理をステップＳ２５に戻し、複数の蓄電装置１９ａ，１９ｂ，１９ｃ，・・・中の１つがコネクタ１６に接続されるまで待機する。
【０１０４】
制御部４８は、複数の蓄電装置１９ａ，１９ｂ，１９ｃ，・・・中の１つが接続されたと判定した場合（Ｓ２５：ＹＥＳ）、読出部４４に指示して、蓄電装置１９ａ，１９ｂ，１９ｃ，・・・の中でコネクタ１６に接続した蓄電装置の記憶部３２から識別情報を読み出させる（ステップＳ２６）。次に、制御部４８は、監視装置１８の記憶部４１から、ステップＳ２６で読出部４４が読み出した識別情報に対応する種類情報を読み出す（ステップＳ２７）。
【０１０５】
次に、制御部４８は、記憶部４１に記憶してある設定情報が示す種類を、ステップＳ２７で読み出した種類情報が示す種類に書き換え（ステップＳ２８）、ステップＳ２７で読み出した種類情報が示す種類がコンデンサであるか否かを判定する（ステップＳ２９）。制御部４８は、種類がコンデンサであると判定した場合（Ｓ２９：ＹＥＳ）、記憶部４１から、ステップＳ２６で読出部４４が読み出した識別情報に対応する静電容量情報及び上限電圧情報を読み出す（ステップＳ３０）。そして、制御部４８は、記憶部４１に記憶してある設定情報が示す静電容量を、ステップＳ３０で読出部４４が読み出した静電容量情報が示す静電容量に書き換え（ステップＳ３１）、記憶部４１に記憶してある設定情報が示す上限電圧を、ステップＳ３０で読出部４４が読み出した上限電圧情報が示す上限電圧に書き換える（ステップＳ３２）。
【０１０６】
次に、制御部４８は、電圧検出部４６が検出した電圧を読み込む（ステップＳ３３）。制御部４８は、記憶部４１に記憶してある設定情報が示す静電容量及び上限電圧と、ステップＳ３３で読み込んだ電圧とに基づいてコネクタ１６に接続してある蓄電装置の蓄電率を算出する（ステップＳ３４）。ステップＳ３４では、制御部４８は、記憶部４１に記憶してある設定情報が示す静電容量及び上限電圧から、蓄電装置１９ａ，１９ｂ，１９ｃ，・・・の中でコネクタ１６に接続してある蓄電装置に蓄えることが可能な最大電荷量を算出する。更に、ステップＳ３４では、制御部４８は、記憶部４１に記憶してある設定情報が示す静電容量と、ステップＳ３３で読み込んだ電圧とから現在の電荷量を算出する。制御部４８は、算出した現在の電荷量を、算出した最大電荷量で割ることによって現在の蓄電率を算出する。
【０１０７】
次に、制御部４８は、記憶部４１に記憶してある設定情報が示す蓄電率をステップＳ３４で算出した蓄電率に書き換え（ステップＳ３５）、処理を終了する。制御部４８は、処理を終了した後、ステップＳ１から再開する。
【０１０８】
制御部４８は、種類がコンデンサではない、即ち、蓄電池であると判定した場合（Ｓ２９：ＮＯ）、記憶部４１から、ステップＳ２６で読出部４４が読み出した識別情報に対応する蓄電容量情報を読み出す（ステップＳ３６）。そして、制御部４８は、記憶部４１に記憶してある設定情報が示す蓄電容量を、読み出した蓄電容量情報が示す蓄電容量に書き換え（ステップＳ３７）、電圧検出部４６が検出した電圧を読み込む（ステップＳ３８）。コネクタ１６に接続してある蓄電装置は、車両が停止した状態で交換されるため、ステップＳ３８では、発電機１０が発電していない。このため、制御部４８がステップＳ３８で読み込む電圧は、蓄電装置１９ａ，１９ｂ，１９ｃ，・・・の中でコネクタ１６に接続してある蓄電装置の開放電圧である。
【０１０９】
制御部４８は、ステップＳ３８を実行した後、記憶部４１から、ステップＳ２６で読出部４４が読み出した識別情報に対応する蓄電率カーブを読み出す（ステップＳ３９）。制御部４８は、読み出した蓄電率カーブにおいて、ステップＳ３８で読み込んだ電圧に対応する蓄電率を読み出すことによって、コネクタ１６に接続してある蓄電装置の蓄電率を算出し（ステップＳ４０）、記憶部４１に記憶してある設定情報が示す蓄電率を、算出した蓄電率に書き換える（ステップＳ４１）。その後、制御部４８は、処理を終了し、ステップＳ１１から処理を再開する。
【０１１０】
以上のように構成された監視装置１８においては、制御部４８は、ステップＳ２７で読み出した種類情報が示す種類に応じた方法で、変圧装置１１の第２端子に接続してある蓄電装置の蓄電率を算出する。このため、コネクタ１６に接続してある蓄電装置が、種類が異なる蓄電装置に交換された場合においても、蓄電率が正確に算出され、制御装置１７は、適切なタイミングで発電機１０に発電指示を出力することができる。
【０１１１】
（実施の形態２）
実施の形態１においては、記憶部４１が識別情報ＩＤ１，ＩＤ２，ＩＤ３，・・・夫々に応じて種類情報、静電容量情報、上限電圧情報及び蓄電容量情報が記憶されていた。しかしながら、種類情報、静電容量情報、上限電圧情報及び蓄電容量情報夫々は、識別情報ＩＤ１，ＩＤ２，ＩＤ３，・・・夫々に含まれていてもよい。
【０１１２】
以下では、実施の形態２における電源システム１において、実施の形態１における電源システム１と異なる点を説明する。後述する構成以外の部分については、実施の形態１と同様である。
【０１１３】
実施の形態２では、複数の蓄電装置１９ａ，１９ｂ，１９ｃ，・・・に記憶してある識別情報ＩＤ１，ＩＤ２，ＩＤ３，・・・夫々には、蓄電装置の種類を示す種類情報が含まれている。種類情報は、具体的には、実施の形態１と同様に、コンデンサ又は蓄電池を示す。識別情報ＩＤ１，ＩＤ２，ＩＤ３，・・・夫々には、種類情報の他に、静電容量情報、上限電圧情報及び蓄電容量情報が含まれる。監視装置１８の記憶部４１には、設定情報と、識別情報ＩＤ１，ＩＤ２，ＩＤ３，・・・夫々に対応する蓄電率カーブとが記憶されており、種類情報、静電容量情報、上限電圧情報及び蓄電容量情報は記憶されていない。
【０１１４】
実施の形態２における監視装置１８の制御部４８は、ステップＳ２７において、ステップＳ２６で読み出した識別情報に含まれる種類情報を読み出す。また、実施の形態２における制御部４８は、ステップＳ３０において、ステップＳ２６で読み出した識別情報に含まれる静電容量情報及び上限電圧情報を読み出し、ステップＳ３６において、ステップＳ２６で読み出した識別情報に含まれる蓄電容量情報を読み出す。ステップＳ２７，Ｓ３０，Ｓ３６を除く他の処理については、実施の形態２にける制御部４８は、実施の形態１における制御部４８と同様に行う。
【０１１５】
従って、実施の形態２における制御部４８も、実施の形態１における制御部４８と同様に、ステップＳ２７で読み出した種類情報が示す種類に応じた方法で、蓄電装置１９ａ，１９ｂ，１９ｃ，・・・の中で変圧装置１１の第２端子に接続してある蓄電装置の蓄電率を算出する。このため、コネクタ１６に接続してある蓄電装置が、種類が異なる蓄電装置に交換された場合においても、蓄電率が正確に算出され、制御装置１７は、適切なタイミングで発電機１０に発電指示を出力することができる。
【０１１６】
実施の形態２における変圧装置１１は、実施の形態１における変圧装置と同様に構成されている。このため、複数の蓄電装置１９ａ，１９ｂ，１９ｃ，・・・の中でコネクタ１６を介して接続してある蓄電装置が交換された場合に、新たに接続された蓄電装置に印加する目標電圧を、該蓄電装置にとって適切な電圧に容易に変更することができる
【０１１７】
また、発電機１０が発生した電圧は、印加電圧として、変圧装置１１の第１端子に印加され、制御装置１７は、実施の形態１と同様に、制御部４８が算出した蓄電率が基準率未満である場合、発電機１０に発電指示を出力しないので、発電機１０は発電を停止する。このため、コネクタ１６に接続してある蓄電装置の蓄電率を基準率以下に保つことができ、これにより、必要以上の蓄電によって生じる蓄電容量の激しい減少を防止することができる。
【０１１８】
なお、識別情報ＩＤ１，ＩＤ２，ＩＤ３，・・・夫々に、種類情報、静電容量情報、上限電圧情報及び蓄電容量情報全てが含まれなくてもよく、種類情報、静電容量情報、上限電圧情報及び蓄電容量情報中の少なくとも１つが含まれていればよい。種類情報、静電容量情報、上限電圧情報及び蓄電容量情報の中で、識別情報ＩＤ１，ＩＤ２，ＩＤ３，・・・に含まれない情報は、識別情報ＩＤ１，ＩＤ２，ＩＤ３，・・・夫々に対応付けて記憶され、実施の形態１と同様に読み出される。
【０１１９】
（実施の形態３）
実施の形態１においては、複数の蓄電装置１９ａ，１９ｂ，１９ｃ，・・・夫々の記憶部３２に識別情報ＩＤ１，ＩＤ２，ＩＤ３，・・・が記憶されていた。そして、変圧装置１１の記憶部２２には、識別情報ＩＤ１，ＩＤ２，ＩＤ３，・・・夫々に対応する電圧情報が記憶されて、監視装置１８の記憶部４１には、識別情報ＩＤ１，ＩＤ２，ＩＤ３，・・・夫々に対応する種類情報、静電容量情報、上限電圧情報、蓄電容量情報及び蓄電率カーブが記憶されていた。
しかしながら、複数の蓄電装置１９ａ，１９ｂ，１９ｃ，・・・夫々の記憶部３２に、電圧情報、種類情報、静電容量情報、上限電圧情報、蓄電容量情報及び蓄電率カーブが記憶されていてもよい。
【０１２０】
以下では、実施の形態３における電源システム１において、実施の形態１における電源システム１と異なる点を説明する。後述する構成以外の部分については、実施の形態１と同様である。
実施の形態３における変圧装置１１は、実施の形態１と同様に、第１端子に印加された印加電圧を目標電圧に変圧し、変圧装置１１の他端から目標電圧を、複数の蓄電装置１９ａ，１９ｂ，１９ｃ，・・・の中でコネクタ１６に接続してある蓄電装置に印加する。
【０１２１】
実施の形態３における変圧装置１１の記憶部２２は、目標電圧を示す設定情報を記憶しており、電圧情報を記憶していない。実施の形態３における監視装置１８の記憶部４１も、種類、静電容量、上限電圧、蓄電容量及び蓄電率を示す設定情報を記憶しており、種類情報、静電容量情報、上限電圧情報、蓄電容量情報及び蓄電率カーブを記憶していない。
【０１２２】
実施の形態３における複数の蓄電装置１９ａ，１９ｂ，１９ｃ，・・・の中で、種類がコンデンサである蓄電装置の記憶部３２は、該蓄電装置に対応する電圧情報、種類情報、静電容量情報及び上限電圧情報を記憶している。同様に、複数の蓄電装置１９ａ，１９ｂ，１９ｃ，・・・の中で種類が蓄電池である蓄電装置の記憶部３２は、該蓄電装置に対応する電圧情報、種類情報、蓄電容量情報及び蓄電率カーブを記憶している。また、記憶部３２は、種類情報として、コンデンサ又は蓄電池を示す情報を記憶している。
【０１２３】
実施の形態３における変圧装置１１の読出部２５は、複数の蓄電装置１９ａ，１９ｂ，１９ｃ，・・・の中でコネクタ１６に接続してある蓄電装置の記憶部３２から電圧情報を読み出す。実施の形態３における監視装置１８の読出部４４は、複数の蓄電装置１９ａ，１９ｂ，１９ｃ，・・・の中でコネクタ１６に接続してある蓄電装置の記憶部３２から種類情報、静電容量情報、上限電圧情報、蓄電容量情報及び蓄電率カーブを読み出す。
【０１２４】
図９及び図１０は実施の形態３における変圧装置１１の制御部２６が実行する動作の手順を示すフローチャートである。実施の形態３における制御部２６が実行するステップＳ５１からＳ５５，Ｓ５７は、実施の形態１における制御部２６が実行するステップＳ１からＳ５，Ｓ８と同様であるため、その説明を省略する。
【０１２５】
実施の形態３における制御部２６は、複数の蓄電装置１９ａ，１９ｂ，１９ｃ，・・・中の１つが接続されたと判定した場合（Ｓ５５：ＹＥＳ）、読出部２５に指示して、蓄電装置１９ａ，１９ｂ，１９ｃ，・・・の中でコネクタ１６に接続した蓄電装置の記憶部３２から電圧情報を読み出す（ステップＳ５６）。次に、制御部２６は、記憶部２２に記憶してある設定情報の目標電圧を、ステップＳ５６で読み出した電圧情報が示す目標電圧に書き換える（ステップＳ５７）。その後、制御部２６は処理を終了し、ステップＳ５１から処理を再開する。
【０１２６】
このため、変圧装置１１は、次に、コネクタ１６に接続してある蓄電装置が取り外されるまでの間、入力部２４に入力された発電情報が発電機１０の発電を示す場合には、変圧装置１１の第１端子に印加された印加電圧を、ステップＳ５６で制御部２６が読み出した電圧情報が示す目標電圧に変圧し、目標電圧を蓄電部３１に印加する。
【０１２７】
以上のように構成された変圧装置１１においては、複数の蓄電装置１９ａ，１９ｂ，１９ｃ，・・・の中でコネクタ１６を介して接続してある蓄電装置が交換された場合に、新たに接続された蓄電装置に印加する目標電圧を、該蓄電装置にとって適切な電圧に容易に変更することができる。
【０１２８】
図１１及び図１２は、実施の形態３における監視装置１８の制御部４８が実行する動作の手順を示すフローチャートである。実施の形態３における制御部４８が実行するステップＳ６１からＳ７５，Ｓ８２からＳ８４，Ｓ８７，Ｓ９０夫々は、実施の形態１における制御部４８が実行するステップＳ１１からＳ２５，Ｓ３３からＳ３５，Ｓ３８，Ｓ４１と同様であるため、その説明を省略する。
【０１２９】
実施の形態３における制御部４８は、複数の蓄電装置１９ａ，１９ｂ，１９ｃ，・・・中の１つが接続されたと判定した場合（Ｓ７５：ＹＥＳ）、読出部４４に指示して、蓄電装置１９ａ，１９ｂ，１９ｃ，・・・の中でコネクタ１６に接続した蓄電装置の記憶部３２から種類情報を読み出させる（ステップＳ７６）。次に、制御部４８は、監視装置１８の記憶部４１に記憶してある設定情報が示す種類を、ステップＳ７６で読出部４４が読み出した種類情報が示す種類に書き換え（ステップＳ７７）、ステップＳ７６で読出部４４が読み出した種類情報が示す種類がコンデンサであるか否かを判定する（ステップＳ７８）。
【０１３０】
実施の形態３における制御部４８は、種類がコンデンサであると判定した場合（Ｓ７８：ＹＥＳ）、読出部４４に指示して、コネクタ１６に接続してある蓄電装置の記憶部３２から静電容量情報及び上限電圧情報を読み出させる（ステップＳ７９）。そして、制御部４８は、記憶部４１に記憶してある設定情報が示す静電容量を、ステップＳ７９で読出部４４が読み出した静電容量情報が示す静電容量に書き換え（ステップＳ８０）、記憶部４１に記憶してある設定情報が示す上限電圧を、ステップＳ７９で読出部４４が読み出した上限電圧情報が示す上限電圧に書き換える（ステップＳ８１）。
【０１３１】
実施の形態３における制御部４８は、種類がコンデンサではない、即ち、蓄電池であると判定した場合（Ｓ７８：ＮＯ）、読出部４４に指示して、蓄電装置１９ａ，１９ｂ，１９ｃ，・・・の中でコネクタ１６に接続してある蓄電装置の記憶部３２から蓄電容量情報を読み出させる（ステップＳ８５）。そして、制御部４８は、記憶部４１に記憶してある設定情報が示す蓄電容量を、ステップＳ７９で読出部４４が読み出した蓄電容量情報が示す蓄電容量に書き換える（ステップＳ８６）。
【０１３２】
制御部４８は、ステップＳ８７を実行した後、読出部４４に指示して、コネクタ１６に接続してある蓄電装置の記憶部３２から蓄電率カーブを読み出させる（ステップＳ８８）。制御部４８は、ステップＳ８８で読出部４４が読み出した蓄電率カーブにおいて、ステップＳ８７で読み込んだ電圧に対応する蓄電率を読み出すことによって、コネクタ１６に接続してある蓄電装置の蓄電率を算出する（ステップＳ８９）。
【０１３３】
以上のように構成された実施の形態３における監視装置１８においては、制御部４８は、ステップＳ７６で読出部４４が読み出した種類情報が示す種類に応じた方法で、変圧装置１１の第２端子に接続してある蓄電装置の蓄電率を算出する。このため、コネクタ１６に接続してある蓄電装置が、種類が異なる蓄電装置に交換された場合においても、蓄電率が正確に算出され、制御装置１７は、適切なタイミングで発電機１０に発電指示を出力することができる。
【０１３４】
また、発電機１０が発生した電圧は、印加電圧として、変圧装置１１の第１端子に印加され、制御装置１７は、実施の形態１と同様に、制御部４８が算出した蓄電率が基準率未満である場合、発電機１０に発電指示を出力しないので、発電機１０は発電を停止する。このため、コネクタ１６に接続してある蓄電装置の蓄電率を基準率以下に保つことができ、これにより、必要以上の蓄電によって生じる蓄電容量の激しい減少を防止することができる。
【０１３５】
（実施の形態４）
図１３は、実施の形態４における電源システム５の要部構成を示すブロック図である。
実施の形態１においては、変圧装置１１の制御部２６及び監視装置１８の制御部４８は、識別情報ＩＤ１，ＩＤ２，ＩＤ３，・・・を用いて複数の蓄電装置１９ａ，１９ｂ，１９ｃ，・・・が識別されていた。実施の形態４においては、複数の蓄電装置５５ａ，５５ｂ，５５ｃ，５５ｄ夫々は、形状によって識別される。
【０１３６】
以下では、実施の形態４における電源システム５において、実施の形態１における電源システム１と異なる点を説明する。後述する構成を除く電源システム５の他の構成については、実施の形態１における電源システム１と同様であるため、同様の符号を付してその説明を省略する。
【０１３７】
電源システム５は、発電機１０、スイッチ１２、負荷１３、蓄電器１４、スタータ１５、変圧装置５１、コネクタ５２、制御装置５３、監視装置５４、複数の蓄電装置５５ａ，５５ｂ，５５ｃ，５５ｄ、スイッチ５６，５７，５８、電線Ｐ１及び抵抗Ｒ２，Ｒ３，Ｒ４を備える。変圧装置５１は、第１端子から第６端子を有する。車両には、発電機１０、スイッチ１２、負荷１３、蓄電器１４、スタータ１５、変圧装置５１、コネクタ５２、制御装置５３、監視装置５４、スイッチ５６，５７，５８、電線Ｐ１及び抵抗Ｒ２，Ｒ３，Ｒ４と、複数の蓄電装置５５ａ，５５ｂ，５５ｃ，５５ｄ中の１つとが搭載される。
【０１３８】
発電機１０、スイッチ１２、負荷１３、蓄電器１４及びスタータ１５は、実施の形態１と同様に接続されている。変圧装置５１の第１端子は、発電機１０及びスイッチ１２夫々の一端に接続されている。変圧装置５１の第２端子は、電線Ｐ１の一端に接続されている。電線Ｐ１の他端はコネクタ５２に接続されている。抵抗Ｒ２の一端はスイッチ５６の一端に接続され、抵抗Ｒ３の一端はスイッチ５７の一端に接続され、抵抗Ｒ４の一端はスイッチ５８の一端に接続されている。抵抗Ｒ２，Ｒ３，Ｒ４夫々の他端には電圧Ｖｃｃが印加されている。スイッチ５６，５７，５８夫々の他端は設置されている。
【０１３９】
変圧装置５１において、第３端子は抵抗Ｒ２及びスイッチ５６の接続ノードに接続され、第４端子は抵抗Ｒ３及びスイッチ５７の接続ノードに接続され、第５端子は抵抗Ｒ４及びスイッチ５８の接続ノードに接続されている。変圧装置５１の第６端子は制御装置５３に接続されている。コネクタ５２は接地もされている。コネクタ５２は、後述する蓄電装置５５ａのコネクタ８１（図１６参照）と接離可能に接続される。蓄電装置５５ｂ，５５ｃ，５５ｄ夫々は、蓄電装置５５ａと同様にコネクタ８１を有しており、コネクタ５２は、蓄電装置５５ｂ，５５ｃ，５５ｄ夫々のコネクタ８１とも接離可能に接続される。従って、変圧装置５１は、複数の蓄電装置５５ａ，５５ｂ，５５ｃ，・・・・中の１つが第２端子に接離可能に接続される。監視装置５４は、抵抗Ｒ２，Ｒ３，Ｒ４夫々の一端に各別に接続され、更には、電線Ｐ１及びコネクタ５２間の接続ノードと制御装置５３とに接続されている。
【０１４０】
発電機１０は実施の形態１と同様に作用し、発電機１０が発生した電圧は、変圧装置１１の第１端子の代わりに、変圧装置５１の第１端子に印加される。また、発電機１０は、制御装置１７の代わりに、制御装置５３から発電指示が入力される。従って、発電機１０が発生した電圧は、変圧装置５１の第１端子に印加される印加電圧として、変圧装置５１の一端に印加される。
【０１４１】
変圧装置５１には発電情報が制御装置５３から入力される。変圧装置５１は、入力された発電情報が発電機１０の発電を示す場合、発電機１０によって第１端子に印加された印加電圧を一定の目標電圧に変圧し、目標電圧を、電線Ｐ１及びコネクタ５２を介して、第２端子に接続してある蓄電装置５５ａに印加する。これにより、蓄電装置５５ａが給電される。コネクタ５２に蓄電装置５５ｂ，５５ｃ，５５ｄのいずれかが接続されている場合、コネクタ５２に接続されている蓄電装置は、蓄電装置５５ａと同様に給電される。
【０１４２】
発電機１０が発電していない場合、変圧装置５１の第２端子に、コネクタ５２に接続してある蓄電装置５５ａの出力電圧が電線Ｐ１を介して印加される。蓄電装置５５ｂ，５５ｃ，５５ｄ中の１つがコネクタ５２に接続してある場合において、発電機１０が発電していないとき、変圧装置５１の第２端子には、蓄電装置５５ａと同様に、コネクタ５２に接続してある蓄電装置の出力電圧が電線Ｐ１を介して印加される。
【０１４３】
変圧装置５１は、入力された発電情報が発電機１０の発電を示さない場合、第２端子に印加された電圧を変圧する。このとき、変圧装置１１は、スイッチ１２がオンである場合、変圧した電圧を負荷１３の一端と蓄電器１４の正極とに印加し、スイッチ１２がオフである場合、変圧した電圧を負荷１３の一端に印加する。
【０１４４】
蓄電装置５５ａは、変圧装置５１の第２端子から電線Ｐ１及びコネクタ５２を介して目標電圧が印加されている場合に給電され、発電機１０が発電していない場合、出力電圧を、コネクタ５２及び電線Ｐ１を介して、変圧装置５１の第２端子に印加する。蓄電装置５５ｂ，５５ｃ，５５ｄ夫々も、コネクタ５２と接続している場合、蓄電装置５５ａと同様に作用する。
【０１４５】
複数の蓄電装置５５ａ，５５ｂ，５５ｃ，５５ｄ夫々の形状は、互いに異なっている。
スイッチ５６，５７，５８夫々は、コネクタ５２に複数の蓄電装置５５ａ，５５ｂ，５５ｃ，５５ｄ中の１つが接続していない場合、オフである。そして、スイッチ５６，５７，５８夫々は、複数の蓄電装置５５ａ，５５ｂ，５５ｃ，５５ｄ中の１つがコネクタ５２に接続した場合、コネクタ５２に接続された蓄電装置の形状に応じて、オフに維持されるか又はオンに切り替えられる。
【０１４６】
スイッチ５６がオフである場合、抵抗Ｒ２及びスイッチ５６間の接続ノードにおける電圧はＶｃｃであって基準電圧以上である。スイッチ５６がオンである場合、抵抗Ｒ２及びスイッチ５６間の接続ノードにおける電圧はゼロボルトであって基準電圧未満である。同様に、抵抗Ｒ３及びスイッチ５７間の接続ノードにおける電圧は、スイッチ５７がオフである場合に基準電圧以上であり、スイッチ５７がオンである場合に基準電圧未満である。更に、抵抗Ｒ４及びスイッチ５８間の接続ノードにおける電圧も、スイッチ５８がオフである場合に基準電圧以上であり、スイッチ５８がオンである場合に基準電圧未満である。
【０１４７】
監視装置５４には制御装置５３から発電情報が入力される。また、監視装置５４は、電線Ｐ１及びコネクタ５２間の接続ノードにおける電圧を検出することによって、蓄電装置５５ａに印加される電圧と、蓄電装置５５ａの出力電圧とを検出する。更に、監視装置５４は、電線Ｐ１及びコネクタ５２間に流れる電流を検出することによって、変圧装置５１の第２端子から蓄電装置５５ａへ流れる充電電流と、蓄電装置５５ａの出力電流とを検出する。監視装置５４は、入力された発電情報と、検出した電圧及び電流とに基づいて、蓄電装置５５ａの蓄電率を算出し、算出した蓄電率を示す蓄電率情報を制御装置５３に出力する。
蓄電装置５５ｂ，５５ｃ，・・・中の１つが接続している場合においても、監視装置５４は、蓄電装置５５ａについて行った処理と同様の処理を行う。
【０１４８】
制御装置５３は実施の形態１の制御装置１７と同様に作用する。制御装置５３には、制御装置１７と同様に走行情報が入力される。制御装置５３には、実施の形態１における監視装置１８の代わりに、監視装置５４から蓄電率情報が入力される。制御装置５３は、発電情報を、変圧装置１１の代わりに、変圧装置５１に出力する。
【０１４９】
図１４は蓄電装置５５ａの外観図である。蓄電装置５５ａの外箱６０は直方体状をなし、外箱６０の一面には、軸方向が該一面に垂直な方向となるように柱状の凸部６１，６２，６３が設けられている。凸部６１，６２，６３は、外箱６０の前記一面の長手方向に並置されている。蓄電装置５５ｂ，５５ｃ，５５ｄ夫々の外箱６０の形状は、蓄電装置５５ａの外箱６０と同様であり、蓄電装置５５ｂ，５５ｃ，５５ｄ夫々の外箱６０には、凸部６１，６２，６３中の一又は複数の凸部が設けられている。
【０１５０】
蓄電装置５５ｂは凸部６１，６２を有し、蓄電装置５５ｃは凸部６１，６３を有し、蓄電装置５５ｄは凸部６１を有する。このように、凸部の数及び位置の組合せは、複数の蓄電装置５５ａ，５５ｂ，５５ｃ，５５ｄ夫々ついて異なっている。従って、凸部６２，６３の位置パターンに応じて、４つの蓄電装置５５ａ，５５ｂ，５５ｃ，５５ｄを識別することが可能である。凸部６１は、コネクタ５２と蓄電装置との接続を検出するために用いられる。
【０１５１】
図１５は、蓄電装置５５ａの収容を説明するための説明図である。複数の蓄電装置５５ａ，５５ｂ，５５ｃ，５５ｄ夫々は、一面が解放された箱体状をなす収容体５９に収容される。収容体５９は、蓄電装置５５ａ，５５ｂ，５５ｃ，５５ｄ夫々の外箱６０を内部に収容することが可能である。図１５には、蓄電装置５５ａ及び収容体５９の断面図が示されている。蓄電装置５５ａは、凸部６１が設けられた一面が収容体５９の底面と対向するように、収容体５９内に挿入される。蓄電装置５５ｂ，５５ｃ，５５ｄ夫々も同様に収容体５９内に挿入される。収容体５９の底面には、凸部６１，６２，６３夫々に対応する位置に、貫通孔７１，７２，７３が設けられており、蓄電装置５５ａが収容体５９に収容された場合、凸部６１，６２，６３夫々は貫通孔７１，７２，７３を挿通する。
【０１５２】
スイッチ５６，５７，５８夫々は、収容体５９における底面の外側近傍に設けられている。スイッチ５６は、貫通孔７１を挿通した凸部６１によってオンにされ、スイッチ５７は、貫通孔７２を挿通した凸部６２によってオンにされ、スイッチ５８は、貫通孔７３を挿通した凸部６３によってオンにされる。そして、収容体５９から蓄電装置５５ａを取り外した場合、スイッチ５６，５７，５８はオフとなる。
【０１５３】
凸部６１，６２を有する蓄電装置５５ｂが収容体５９に挿入された場合、スイッチ５６，５７がオンとなり、スイッチ５８はオフのままである。凸部６１，６３を有する蓄電装置５５ｃが収容体５９に挿入された場合、スイッチ５６，５８がオンとなり、スイッチ５７はオフのままである。凸部６１を有する蓄電装置５５ｄが収容体５９に挿入された場合、スイッチ５６がオンとなり、スイッチ５７，５８はオフのままである。
【０１５４】
図１６は、変圧装置５１、監視装置５４及び蓄電装置５５ａ夫々の要部構成を示すブロック図である。
変圧装置５１は、電圧検出部２０、記憶部２２、出力部２３、入力部２４、制御部２６、ＤＣ／ＤＣコンバータ２７及び電圧検出部８０を有する。電圧検出部２０、記憶部２２、出力部２３、入力部２４、制御部２６及びＤＣ／ＤＣコンバータ２７は、実施の形態１と同様に接続されている。電圧検出部８０は、バス２８を介して制御部２６に接続しており、更に、抵抗Ｒ２及びスイッチ５６の接続ノードと、抵抗Ｒ３及びスイッチ５７の接続ノードと、抵抗Ｒ４及びスイッチ５８の接続ノードとに各別に接続されている。
【０１５５】
変圧装置５１の電圧検出部２０、出力部２３、入力部２４及びＤＣ／ＤＣコンバータ２７夫々は、実施の形態１における変圧装置１１の電圧検出部２０、出力部２３、入力部２４及びＤＣ／ＤＣコンバータ２７と同様に作用する。
記憶部２２は、現在、設定されている目標電圧を示す設定情報を記憶している。記憶部２２は、更に、目標電圧を示す複数の電圧情報を、凸部６２，６３の複数の位置パターン夫々に対応付けて記憶している。
【０１５６】
図１７は変圧装置５１の記憶部２２が記憶している内容を示す図表である。図１７には、凸部６２，６３の複数の位置パターン夫々に対応する電圧情報が示す目標電圧が示されている。位置パターンは、蓄電装置５５ａ，５５ｂ，５５ｃの中で収容体５９に収容された蓄電装置が有する凸部が示されている。凸部６２，６３を示す位置パターンに対応する電圧情報が示す目標電圧はＶ１であり、凸部６２を示す位置パターンに対応する電圧情報が示す目標電圧はＶ２であり、凸部６３を示す位置パターンに対応する電圧情報が示す目標電圧はＶ３であり、凸部６２，６３のいずれも示さない位置パターンに対応する電圧情報が示す目標電圧はＶ４である。図１８では、凸部６２，６３のいずれも示さない位置パターンを「凸部なし」と記載している。
【０１５７】
目標電圧Ｖ１，Ｖ２，Ｖ３，Ｖ４夫々は、蓄電装置５５ａ，５５ｂ，５５ｃ，５５ｄに印加すべき目標電圧である。
記憶部２２に記憶してある内容は、制御部２６によって読み出され、更に、書き換えられる。
【０１５８】
電圧検出部８０は、抵抗Ｒ２及びスイッチ５６間の接続ノードにおける電圧と、抵抗Ｒ３及びスイッチ５７間の接続ノードにおける電圧と、抵抗Ｒ４及びスイッチ５８間の接続ノードにおける電圧とを各別に検出する。電圧検出部８０が検出した電圧は、制御部２６によって読み込まれる。
【０１５９】
制御部２６は、電圧検出部２０，８０夫々の検出結果と、記憶部２２の記憶内容と、入力部２４に入力された発電情報とに基づいて、ＤＣ／ＤＣコンバータ２７の動作を制御する。制御部２６の詳細な動作については後述する。
【０１６０】
蓄電装置５５ａは、コネクタ８１及び蓄電部３１を有する。コネクタ８１はコネクタ５２に接離可能に接続する。蓄電部３１はコネクタ８１に接続している。コネクタ８１がコネクタ５２に接続している場合において、蓄電部３１の正極は、電線Ｐ１及びコネクタ５２，８０を介して変圧装置５１のＤＣ／ＤＣコンバータ２７に接続し、蓄電部３１の負極は接地される。
【０１６１】
蓄電装置５５ｂ，５５ｃ，５５ｄ夫々も、蓄電装置５５ａと同様に、コネクタ８１及び蓄電部３１を有し、蓄電装置５５ａと同様に接続される。蓄電装置５５ａ，５５ｂ，５５ｃ，５５ｄ夫々は、収容体５９に収容された場合、コネクタ８１はコネクタ５２に接続し、コネクタ５２に接続した蓄電装置の形状に応じて、スイッチ５６，５７，５８夫々はオフを維持されるか又はオンに切り替わる。
【０１６２】
監視装置５４は、記憶部４１、出力部４２、入力部４３、電圧検出部４６，８２、電流検出部４７及び制御部４８を有する。記憶部４１、出力部４２、入力部４３、電圧検出部４６、電流検出部４７及び制御部４８夫々は、実施の形態１と同様に接続されている。電圧検出部８２は、バス４９を介して制御部４８に接続しており、更に、抵抗Ｒ２及びスイッチ５６の接続ノードと、抵抗Ｒ３及びスイッチ５７の接続ノードと、抵抗Ｒ４及びスイッチ５８の接続ノードとに各別に接続されている。
【０１６３】
監視装置５４の出力部４２、入力部４３、電圧検出部４６及び電流検出部４７夫々は、実施の形態１における監視装置１８の出力部４２、入力部４３、電圧検出部４６及び電流検出部４７と同様に作用する。
【０１６４】
記憶部４１は、蓄電装置の種類、静電容量、上限電圧、蓄電容量及び蓄電率を示す設定情報を記憶している。ここで、蓄電装置の種類は、蓄電装置５５ａ，５５ｂ，５５ｃ，５５ｄ夫々が有する蓄電部３１の種類であり、記憶部４１の設定情報は、種類としてコンデンサ又は蓄電池を示す。記憶部４１は、更に、複数の種類情報、複数の静電容量情報、複数の上限電圧情報、複数の蓄電容量情報、及び、複数の蓄電率カーブを記憶している。
【０１６５】
記憶部４１は、蓄電装置の種類を示す複数の種類情報を、凸部６２，６３の複数の位置パターン夫々に対応付けて記憶している。記憶部４１は、複数の静電容量情報、複数の上限電圧情報、複数の蓄電容量情報及び複数の蓄電率カーブについても、複数の種類情報と同様に複数の位置パターン夫々に対応付けて記憶している。記憶部４１は、実施の形態１と同様に、種類情報として、コンデンサ又は蓄電池を示す情報を記憶している。
【０１６６】
図１８は、監視装置５４の記憶部４１が記憶している内容を示す図表である。図１８には、凸部６２，６３の複数の位置パターン夫々に対応する種類情報、静電容量情報、上限電圧情報、蓄電容量情報及び蓄電率カーブ夫々が示す種類、静電容量、上限電圧、蓄電容量及び蓄電率カーブが示されている。
【０１６７】
凸部６２，６３を示す位置パターンに対応する種類情報、静電容量情報及び上限電圧情報が示す種類、静電容量及び上限電圧夫々は、コンデンサ、Ｃａ及びＶａである。記憶部４１は、種類がコンデンサであるため、凸部６２，６３を示す位置パターンに対応する蓄電容量情報及び蓄電率カーブを記憶していない。
【０１６８】
凸部６２を示す位置パターンに対応する種類情報、静電容量情報及び上限電圧情報は、凸部６２，６３を示す位置パターンに対応する種類情報、静電容量情報及び上限電圧情報と同様に記憶されている。凸部６２を示す位置パターンに対応する種類情報、静電容量情報及び上限電圧情報夫々が示す種類、静電容量及び上限電圧夫々は、コンデンサ、Ｃｂ及びＶｂである。
【０１６９】
凸部６３を示す位置パターンに対応する種類情報及び蓄電容量情報が示す種類及び蓄電容量夫々は、蓄電池及びＳａである。凸部６３を示す位置パターンに対応する蓄電率カーブはグラフＡである。記憶部４１は、種類が蓄電池であるため、凸部６３を示す位置パターンに対応する静電容量情報及び上限電圧情報を記憶していない。
【０１７０】
凸部６２，６３のいずれも示さない位置パターンに対応する種類情報、蓄電容量情報及び蓄電率カーブは、凸部６３を示す位置パターンに対応する種類情報、蓄電容量情報及び蓄電率カーブと同様に記憶されている。凸部６２，６３のいずれも示さない位置パターンに対応する種類情報及び蓄電容量情報夫々が示す種類及び蓄電容量夫々は蓄電池及びＳｂである。また、凸部６２，６３のいずれも示さない位置パターンに対応する蓄電率カーブはグラフＢである。図１８では、図１７と同様に、凸部６２，６３のいずれも示さない位置パターンを「凸部なし」と記載している。
記憶部４１に記憶してある内容は、制御部４８によって読み出され、更に、書き換えられる。
【０１７１】
電圧検出部８２は、抵抗Ｒ２及びスイッチ５６間の接続ノードにおける電圧と、抵抗Ｒ３及びスイッチ５７間の接続ノードにおける電圧と、抵抗Ｒ４及びスイッチ５８間の接続ノードにおける電圧とを各別に検出する。電圧検出部８２が検出した電圧は、制御部４８によって読み込まれる。
【０１７２】
制御部４８は、記憶部４１の記憶内容と、入力部４３に入力された発電情報と、電圧検出部４６，８２夫々が検出した検出結果と、電流検出部４７が検出した検出結果とに基づいて、蓄電率を算出する。制御部４８は、算出した蓄電率を示す蓄電率情報を出力部４２に出力させる。制御部４８の詳細な動作については後述する。
【０１７３】
図１９及び図２０は、変圧装置５１の制御部２６が実行する動作の手順を示すフローチャートである。変圧装置５１の制御部２６が実行するステップＳ１０２からＳ１０４，Ｓ１０８は、変圧装置１１の制御部２６が実行するスイッチＳ２からＳ４，Ｓ８と同様であるので、その説明を省略する。ステップＳ１０２からＳ１０４，Ｓ１０８について、実施の形態１における蓄電装置１９ａ，１９ｂ，１９ｃ，・・・が実施の形態４における蓄電装置５５ａ，５５ｂ，５５ｃ，５５ｄに対応し、実施の形態１におけるコネクタ１６が実施の形態４におけるコネクタ５２に対応する。
【０１７４】
変圧装置５１の制御部２６は、まず、複数の蓄電装置５５ａ，５５ｂ，５５ｃ，５５ｄの中でコネクタ５２に接続してある蓄電装置がコネクタ５２から取り外されたか否かを判定する（ステップＳ１０１）。蓄電装置がコネクタ５２から取り外された場合、凸部６１が貫通孔７１から引き抜かれるので、スイッチ５６がオンからオフに切り替えられ、抵抗Ｒ２及びスイッチ５６間の接続ノードにおける電圧が基準電圧以上となる。ステップＳ１０１においては、制御部２６は、電圧検出部８０が検出した電圧、具体的には、抵抗Ｒ２及びスイッチ５６間の接続ノードにおける電圧が基準電圧以上である場合に蓄電装置がコネクタ５２から取り外されたと判定する。また、制御部２６は、抵抗Ｒ２及びスイッチ５６間の接続ノードにおける電圧が基準電圧未満である場合に蓄電装置がコネクタ５２から取り外されていないと判定する。
【０１７５】
制御部２６は、蓄電装置が取り外されたと判定した場合（Ｓ１０１：ＹＥＳ）、複数の蓄電装置５５ａ，５５ｂ，５５ｃ，５５ｄ中の１つがコネクタ５２に接続されたか否かを判定する（ステップＳ１０５）。ステップＳ１０５においては、制御部２６は、抵抗Ｒ２及びスイッチ５６間の接続ノードにおける電圧が基準電圧以上のままである場合、蓄電装置５５ａ，５５ｂ，５５ｃ，５５ｄ中の１つがコネクタ５２に接続されていないと判定する。また、制御部２６は、抵抗Ｒ２及びスイッチ５６間の接続ノードにおける電圧が基準電圧未満となった場合、蓄電装置５５ａ，５５ｂ，５５ｃ，５５ｄ中の１つがコネクタ５２に接続されたと判定する。
【０１７６】
制御部２６は、複数の蓄電装置５５ａ，５５ｂ，５５ｃ，５５ｄ中の１つがコネクタ５２に接続されていないと判定した場合（Ｓ１０５：ＮＯ）、処理をステップＳ１０５に戻し、複数の蓄電装置５５ａ，５５ｂ，５５ｃ，５５ｄ中の１つがコネクタ５２に接続されるまで待機する。
【０１７７】
制御部２６は、複数の蓄電装置５５ａ，５５ｂ，５５ｃ，５５ｄ中の１つがコネクタ５２に接続されたと判定した場合（Ｓ１０５：ＹＥＳ）、電圧検出部８０の検出結果に基づいて、変圧装置５１の第２端子に接続してある蓄電装置に設けられている凸部６２，６３の位置パターンを検出する（ステップＳ１０６）。
【０１７８】
コネクタ５２に接続された蓄電装置が凸部６２を有する場合、スイッチ５７がオンとなり、抵抗Ｒ３及びスイッチ５７間の接続ノードにおける電圧が基準電圧未満となる。また、コネクタ５２に接続された蓄電装置が凸部６２を有さない場合、スイッチ５７がオフのままであり、抵抗Ｒ３及びスイッチ５７間の接続ノードにおける電圧が基準電圧以上となる。
【０１７９】
コネクタ５２に接続された蓄電装置が凸部６３を有する場合、スイッチ５８がオンとなり、抵抗Ｒ４及びスイッチ５８間の接続ノードにおける電圧が基準電圧未満となる。また、コネクタ５２に接続された蓄電装置が凸部６３を有さない場合、スイッチ５８がオフのままであり、抵抗Ｒ４及びスイッチ５８間の接続ノードにおける電圧が基準電圧以上となる。
【０１８０】
ステップＳ１０６においては、制御部２６は、抵抗Ｒ３及びスイッチ５７間の接続ノードにおける電圧と、抵抗Ｒ４及びスイッチ５８間の接続ノードにおける電圧とに基づいて凸部６２，６３の位置パターンを検出する。
次に、制御部２６は、ステップＳ１０６で検出した位置パターンに対応する電圧情報を記憶部２２から読み出す（ステップＳ１０７）。ステップＳ１０８では、制御部２６は、記憶部２２に記憶してある設定情報が示す目標電圧を、ステップＳ１０７で読み出した電圧情報が示す目標電圧に書き換える。
【０１８１】
このため、変圧装置５１は、次に、コネクタ５２に接続してある蓄電装置が取り外されるまでの間、入力部２４に入力された発電情報が発電機１０の発電を示す場合には、変圧装置５１の第１端子に印加された印加電圧を、ステップＳ１０７で制御部２６が読み出した電圧情報が示す目標電圧に変圧し、目標電圧を蓄電部３１に印加する。
【０１８２】
以上のように構成された変圧装置５１においては、複数の蓄電装置５５ａ，５５ｂ，５５ｃ，５５ｄの中でコネクタ５２を介して接続してある蓄電装置が交換された場合に、新たに接続された蓄電装置に印加する目標電圧を、該蓄電装置にとって適切な電圧に容易に変更することができる。
【０１８３】
図２１及び図２２は、監視装置５４の制御部４８が実行する動作の手順を示すフローチャートである。監視装置５４の制御部４８が実行するステップＳ１１２からＳ１２４，Ｓ１２８，Ｓ１２９，Ｓ１３１からＳ１３５，Ｓ１３７，Ｓ１３８，Ｓ１４０，Ｓ１４１は、監視装置１８の制御部４８が実行するスイッチＳ１２からＳ２４，Ｓ２８，Ｓ２９，Ｓ３１からＳ３５，Ｓ３７，Ｓ３８，Ｓ４０，Ｓ４１と同様であるので、その説明を省略する。
【０１８４】
監視装置５４の制御部４８は、まず、複数の蓄電装置５５ａ，５５ｂ，５５ｃ，５５ｄの中でコネクタ５２に接続してある蓄電装置がコネクタ５２から取り外されたか否かを判定する（ステップＳ１１１）。ステップＳ１１１においては、変圧装置５１の制御部２６がステップＳ１０１で行った処理と同様の処理を行う。ステップＳ１１１においては、制御部４８は、電圧検出部８２が検出した電圧に基づいて処理を行う。
【０１８５】
制御部４８は、蓄電装置がコネクタ５２から取り外されたと判定した場合（Ｓ１１１：ＹＥＳ）、複数の蓄電装置５５ａ，５５ｂ，５５ｃ，５５ｄ中の１つがコネクタ５２に接続されたか否かを判定する（ステップＳ１２５）。ステップＳ１２５においては、変圧装置５１の制御部２６がステップＳ１０５で行った処理と同様の処理を行う。ステップＳ１２５においても、制御部４８は、電圧検出部８２が検出した電圧に基づいて処理を行う。
制御部４８は、複数の蓄電装置５５ａ，５５ｂ，５５ｃ，５５ｄ中の１つがコネクタ５２に接続されていないと判定した場合（Ｓ１２５：ＮＯ）、処理をステップＳ１２５に戻し、複数の蓄電装置５５ａ，５５ｂ，５５ｃ，５５ｄ中の１つがコネクタ５２に接続されるまで待機する。
【０１８６】
制御部４８は、複数の蓄電装置５５ａ，５５ｂ，５５ｃ，５５ｄ中の１つがコネクタ５２に接続されたと判定した場合（Ｓ１２５：ＹＥＳ）、電圧検出部８２の検出結果に基づいて、変圧装置５１の第２端子に接続してある蓄電装置に設けられている凸部６２，６３の位置パターンを検出する（ステップＳ１２６）。ステップＳ１２６においては、変圧装置５１の制御部２６がステップＳ１０６で行った処理と同様の処理を行う。制御部４８が行うステップＳ１２６の処理は、制御部２６が行うステップＳ１０６の処理と比較して、電圧検出部８０の検出結果ではなく、電圧検出部８２の検出結果に基づく点が異なる。
【０１８７】
次に、制御部４８は、監視装置１８の記憶部４１から、ステップＳ１２６で検出した位置パターンに対応する種類情報を読み出す（ステップＳ１２７）。
また、制御部４８は、種類がコンデンサであると判定した場合（Ｓ１２９：ＹＥＳ）、記憶部４１から、ステップＳ１２６で検出した位置パターンに対応する静電容量情報及び上限電圧情報を読み出す（ステップＳ１３０）。
【０１８８】
制御部４８は、種類がコンデンサではないと判定した場合（Ｓ１２９：ＮＯ）、記憶部４１から、ステップＳ１２６で検出した位置パターンに対応する蓄電容量情報を読み出す（ステップＳ１３６）。
制御部４８は、ステップＳ１３８を実行した後、ステップＳ１２６で検出した位置パターンに対応する蓄電率カーブを読み出す（ステップＳ１３９）。
【０１８９】
以上のように構成された監視装置１８においては、制御部４８は、ステップＳ１２７で読み出した種類情報が示す種類に応じた方法で、変圧装置５１の第２端子に接続してある蓄電装置の蓄電率を算出する。このため、コネクタ５２に接続してある蓄電装置が、種類が異なる蓄電装置に交換された場合においても、蓄電率が正確に算出され、制御装置５３は、適切なタイミングで発電機１０に発電指示を出力することができる。
【０１９０】
制御装置５３は、実施の形態１の制御装置１７と同様に、制御部４８が算出した蓄電率が基準率未満である場合、発電機１０に発電指示を出力しないので、発電機１０は発電を停止する。このため、コネクタ５２に接続してある蓄電装置の蓄電率を基準率以下に保つことができ、これにより、必要以上の蓄電によって生じる蓄電容量の激しい減少を防止することができる。
【０１９１】
なお、実施の形態４において、蓄電装置５５ａ，５５ｂ，５５ｃ，５５ｄの中でコネクタ５２に接続してある蓄電装置の凸部６２，６３の位置パターンを検出する構成は、スイッチ５７，５８を用いた構成に限定されない。例えば、凸部６２，６３夫々が貫通孔７２，７３に挿通した場合に、凸部６２，６３夫々に対応する発光素子及び受光素子間の光が遮断されるように構成することによって、位置パターンを検出してもよい。また、発光素子と、発光素子が発した光の反射光を受光する受光素子とを備える光センサを用いて位置パターンを検出してもよい。
【０１９２】
電源システム５が備える蓄電装置の数は４つに限定されず、２つ、３つ又は５つ以上であってもよい。また、外箱６０に設けられる凸部の数も３つに限定されず、１つ、２つ又は４つ以上であってもよい。凸部の数と、収容体５９に設けられる貫通孔の数とは、蓄電装置の数に応じて適宜変更される。貫通孔の数は凸部の数以上であればよい。
【０１９３】
また、電源システム１，５が備える蓄電装置の種類が１つである場合、実施の形態１，３，４においては種類情報を記憶しなくてもよく、実施の形態２においては、識別情報が種類情報を含まなくてもよい。実施の形態１から４において、電源システム１，５が備える蓄電装置の種類がコンデンサのみである場合、監視装置１８，５４の制御部４８は、静電容量及び上限電圧を用いた蓄電率の算出のみを行う。また、電源システム１，５が備える蓄電装置の種類が蓄電池のみである場合、監視装置１８，５４の制御部４８は、蓄電容量及び蓄電率カーブを用いた蓄電率の算出のみを行う。
【０１９４】
開示された実施の形態１から４は、全ての点で例示であって制限的なものではないと考えられるべきである。本発明の範囲は上述の説明ではなく特許請求の範囲によって示され、特許請求の範囲と均等の意味及び範囲内での全ての変更が含まれることが意図される。
【符号の説明】
【０１９５】
１，５  電源システム
１０  発電機
１１，５１  変圧装置
１７，５３  制御装置
１９ａ，１９ｂ，１９ｃ，４５ａ，４５ｂ，４５ｃ，４５ｄ  蓄電装置
２２，３２，４１  記憶部
２５，４４  読出部
２６，４８  制御部
５７，５８  スイッチ
Ｒ３，Ｒ４  抵抗
【図１】
2015057015.tif 000003
【図２】
2015057015.tif 000004
【図３】
2015057015.tif 000005
【図４】
2015057015.tif 000006
【図５】
2015057015.tif 000007
【図６】
2015057015.tif 000008
【図７】
2015057015.tif 000009
【図８】
2015057015.tif 000010
【図９】
2015057015.tif 000011
【図１０】
2015057015.tif 000012
【図１１】
2015057015.tif 000013
【図１２】
2015057015.tif 000014
【図１３】
2015057015.tif 000015
【図１４】
2015057015.tif 000016
【図１５】
2015057015.tif 000017
【図１６】
2015057015.tif 000018
【図１７】
2015057015.tif 000019
【図１８】
2015057015.tif 000020
【図１９】
2015057015.tif 000021
【図２０】
2015057015.tif 000022
【図２１】
2015057015.tif 000023
【図２２】
2015057015.tif 000024